(57)【要約】  基地局の伝送方法が提供される。前記基地局は、第１ＰＳＳ（ｐｒｉｍａｒｙ  ｓｙｎｃｈｒｏｎｉｚａｔｉｏｎ  ｓｉｇｎａｌ）と第１ＳＳＳ（ｓｅｃｏｎｄａｒｙ  ｓｙｎｃｈｒｏｎｉｚａｔｉｏｎ  ｓｉｇｎａｌ）を含む第１ディスカバリー信号ブロックを生成する。前記基地局は、第２ＰＳＳと第２ＳＳＳを含む第２ディスカバリー信号ブロックを生成する。そして前記基地局は、前記第１ディスカバリー信号ブロックおよび前記第２ディスカバリー信号ブロックを伝送する。
2019516256.tif 000002
【特許請求の範囲】
【請求項１】
第１ＰＳＳ（ｐｒｉｍａｒｙ  ｓｙｎｃｈｒｏｎｉｚａｔｉｏｎ  ｓｉｇｎａｌ）と第１ＳＳＳ（ｓｅｃｏｎｄａｒｙ  ｓｙｎｃｈｒｏｎｉｚａｔｉｏｎ  ｓｉｇｎａｌ）を含む第１ディスカバリー信号ブロックを生成する段階；
第２ＰＳＳと第２ＳＳＳを含む第２ディスカバリー信号ブロックを生成する段階；および
前記第１ディスカバリー信号ブロックおよび前記第２ディスカバリー信号ブロックを伝送する段階を含み、
前記第１ＰＳＳのためのリソースと前記第１ＳＳＳのためのリソース間の時間および周波数距離は、前記第２ＰＳＳのためのリソースと前記第２ＳＳＳのためのリソース間の時間および周波数距離と同一である、
基地局の伝送方法。
【請求項２】
前記第１ディスカバリー信号ブロックは、第１ＰＢＣＨ（ｐｈｙｓｉｃａｌ  ｂｒｏａｄｃａｓｔ  ｃｈａｎｎｅｌ）をさらに含み、前記第２ディスカバリー信号ブロックは、第２ＰＢＣＨをさらに含み、
前記第１ＰＳＳのためのリソースと前記第１ＰＢＣＨのためのリソース間の時間および周波数距離は、前記第２ＰＳＳのためのリソースと前記第２ＰＢＣＨのためのリソース間の時間および周波数距離と同一である、
請求項１に記載の基地局の伝送方法。
【請求項３】
前記第２ディスカバリー信号ブロックを生成する段階は、
前記第１ディスカバリー信号ブロックと前記第２ディスカバリー信号ブロック間にＴＤＭ（ｔｉｍｅ  ｄｉｖｉｓｉｏｎ  ｍｕｌｔｉｐｌｅｘｉｎｇ）を適用する段階を含む、
請求項１に記載の基地局の伝送方法。
【請求項４】
前記第１ディスカバリー信号ブロックと前記第２ディスカバリー信号ブロック間の時間距離は、予め定義された第１値に基づいて決定され、
前記基地局のＰＲＡＣＨ（ｐｈｙｓｉｃａｌ  ｒａｎｄｏｍ  ａｃｃｅｓｓ  ｃｈａｎｎｅｌ）受信のための第１ＰＲＡＣＨブロックと第２ＰＲＡＣＨブロック間の時間距離は、予め定義された第２値に基づいて決定される、
請求項１に記載の基地局の伝送方法。
【請求項５】
前記第１ディスカバリー信号ブロックおよび前記第２ディスカバリー信号ブロックによりチャージされるサブバンドの帯域幅であるセル探索帯域幅（ｃｅｌｌ  ｓｅａｒｃｈ  ｂａｎｄｗｉｄｔｈ）内に、前記第１ＰＲＡＣＨブロックおよび前記第２ＰＲＡＣＨブロックが存在する、
請求項４に記載の基地局の伝送方法。
【請求項６】
前記第１ディスカバリー信号ブロックによりチャージされるリソースは連続的な時間ドメインシンボルを含み、
前記第１ディスカバリー信号ブロック内で、前記第１ＰＳＳは前記第１ＳＳＳよりも時間的に先立つ、
請求項４に記載の基地局の伝送方法。
【請求項７】
前記基地局のＰＲＡＣＨ（ｐｈｙｓｉｃａｌ  ｒａｎｄｏｍ  ａｃｃｅｓｓ  ｃｈａｎｎｅｌ）受信のための第１ＰＲＡＣＨブロックと第２ＰＲＡＣＨブロック間の時間距離を決定する段階をさらに含み、
前記第２ディスカバリー信号ブロックを生成する段階は、
前記第１ディスカバリー信号ブロックと前記第２ディスカバリー信号ブロック間の時間距離を、トラフィック状況に基づいて決定する段階を含む、
請求項１に記載の基地局の伝送方法。
【請求項８】
ＰＳＳ（ｐｒｉｍａｒｙ  ｓｙｎｃｈｒｏｎｉｚａｔｉｏｎ  ｓｉｇｎａｌ）とＳＳＳ（ｓｅｃｏｎｄａｒｙ  ｓｙｎｃｈｒｏｎｉｚａｔｉｏｎ  ｓｉｇｎａｌ）を含む少なくとも一つのディスカバリー信号ブロックを生成する段階；および
ディスカバリー信号の伝送のために予め定義されたリソースプール（ｒｅｓｏｕｒｃｅ  ｐｏｏｌ）に属するリソースのうちの一部または全部を、前記少なくとも一つのディスカバリー信号ブロックに割り当てる段階
を含む基地局の伝送方法。
【請求項９】
前記少なくとも一つのディスカバリー信号ブロックは複数であり、
前記複数のディスカバリー信号ブロック間の時間距離を、トラフィック状況に応じて決定する段階
をさらに含む、請求項８に記載の基地局の伝送方法。
【請求項１０】
端末が前記少なくとも一つのディスカバリー信号ブロックを受信するように、ディスカバリー信号測定ウィンドウ（ＤＭＷ：ｄｉｓｃｏｖｅｒｙ  ｓｉｇｎａｌ  ｍｅａｓｕｒｅｍｅｎｔ  ｗｉｎｄｏｗ）の長さ（ｄｕｒａｔｉｏｎ）および周期（ｐｅｒｉｏｄｉｃｉｔｙ）を前記端末に設定する段階
をさらに含む、請求項８に記載の基地局の伝送方法。
【請求項１１】
前記ＤＭＷの長さおよび周期を設定する段階は、
前記端末と前記基地局がＲＲＣ（ｒａｄｉｏ  ｒｅｓｏｕｒｃｅ  ｃｏｎｔｒｏｌ）連結されている場合に、前記基地局にＲＲＣ連結されていない他の端末のために予め定義された周期値よりも大きい値で前記ＤＭＷ周期を設定し、前記他の端末のために予め定義された長さ値よりも小さい値で前記ＤＭＷ長さを設定する段階を含む、
請求項１０に記載の基地局の伝送方法。
【請求項１２】
前記少なくとも一つのディスカバリー信号ブロックは複数であり、
前記割り当てる段階は、
前記ＤＭＷ内で前記複数のディスカバリー信号ブロックのうちの一部を伝送する段階を含む、
請求項１０に記載の基地局の伝送方法。
【請求項１３】
前記基地局のＰＲＡＣＨ（ｐｈｙｓｉｃａｌ  ｒａｎｄｏｍ  ａｃｃｅｓｓ  ｃｈａｎｎｅｌ）受信のための複数のＰＲＡＣＨブロック間の時間距離を任意に決定する段階
をさらに含む、請求項８に記載の基地局の伝送方法。
【請求項１４】
前記少なくとも一つのディスカバリー信号ブロックのうちの第１ディスカバリー信号ブロックに含まれるＰＢＣＨ（ｐｈｙｓｉｃａｌ  ｂｒｏａｄｃａｓｔ  ｃｈａｎｎｅｌ）を通じて、複数のＰＲＡＣＨ（ｐｈｙｓｉｃａｌ  ｒａｎｄｏｍ  ａｃｃｅｓｓ  ｃｈａｎｎｅｌ）フォーマットのうちの少なくとも一つを端末に伝送する段階
をさらに含む、請求項８に記載の基地局の伝送方法。
【請求項１５】
前記複数のディスカバリー信号ブロック間の時間距離は、ディスカバリー信号オケージョン（ｏｃｃａｓｉｏｎ）の周期毎に同一の値で適用される、
請求項９に記載の基地局の伝送方法。
【請求項１６】
ディスカバリー信号測定ウィンドウ（ＤＭＷ：ｄｉｓｃｏｖｅｒｙ  ｓｉｇｎａｌ  ｍｅａｓｕｒｅｍｅｎｔ  ｗｉｎｄｏｗ）を判断する段階；
前記ＤＭＷ内でＰＳＳ（ｐｈｙｓｉｃａｌ  ｓｙｎｃｈｒｏｎｉｚａｔｉｏｎ  ｓｉｇｎａｌ）をモニタリングする段階；および
前記ＤＭＷ内で複数のディスカバリー信号ブロックに対応する複数のＰＳＳを発見する場合に、前記複数のＰＳＳのうちの一つを選択する段階
を含む端末の受信方法。
【請求項１７】
前記判断する段階は、
基地局にＲＲＣ（ｒａｄｉｏ  ｒｅｓｏｕｒｃｅ  ｃｏｎｔｒｏｌ）連結されていない場合に、予め定義された長さ値と周期値に基づき、前記ＤＭＷのための長さ（ｄｕｒａｔｉｏｎ）および周期（ｐｅｒｉｏｄｉｃｉｔｙ）を決定する段階を含む、
請求項１６に記載の端末の受信方法。
【請求項１８】
前記判断する段階は、
基地局にＲＲＣ（ｒａｄｉｏ  ｒｅｓｏｕｒｃｅ  ｃｏｎｔｒｏｌ）連結されている場合に、前記基地局から前記ＤＭＷのための長さおよび周期（ｐｅｒｉｏｄｉｃｉｔｙ）の設定を受ける段階を含み、
前記基地局により設定されたＤＭＷ周期は、前記基地局にＲＲＣ連結されていない他の端末のために予め定義された周期値よりも大きい値を有し、
前記基地局により設定されたＤＭＷ長さは、前記他の端末のために予め定義された長さ値よりも小さい値を有する、
請求項１６に記載の端末の受信方法。
【請求項１９】
前記選択されたＰＳＳに対応する第１ディスカバリー信号ブロックに含まれているＳＳＳ（ｓｅｃｏｎｄａｒｙ  ｓｙｎｃｈｒｏｎｉｚａｔｉｏｎ  ｓｉｇｎａｌ）またはＰＢＣＨ（ｐｈｙｓｉｃａｌ  ｂｒｏａｄｃａｓｔ  ｃｈａｎｎｅｌ）をモニタリングする段階
をさらに含む、請求項１６に記載の端末の受信方法。
【請求項２０】
前記選択する段階は、
前記複数のＰＳＳのうちの最もよい受信性能を有するか、または予め定義された受信性能条件を満たすＰＳＳを選択する段階を含む、
請求項１６に記載の端末の受信方法。
【発明の詳細な説明】
【技術分野】
【０００１】
本発明は、ディスカバリー信号を送受信する方法および装置に関する。
【背景技術】
【０００２】
無線通信システムは、規格に応じたフレーム構造を支援する。例えば、３ＧＰＰ（３ｒｄ  ｇｅｎｅｒａｔｉｏｎ  ｐａｒｔｎｅｒｓｈｉ  ｐｐｒｏｊｅｃｔ）ＬＴＥ（ｌｏｎｇ  ｔｅｒｍ  ｅｖｏｌｕｔｉｏｎ）システムは、３タイプのフレーム構造を支援する。３タイプのフレーム構造は、ＦＤＤ（ｆｒｅｑｕｅｎｃｙ  ｄｉｖｉｓｉｏｎ  ｄｕｐｌｅｘ）に適用可能なタイプ（ｔｙｐｅ）１フレーム構造、ＴＤＤ（ｔｉｍｅ  ｄｉｖｉｓｉｏｎ  ｄｕｐｌｅｘ）に適用可能なタイプ２フレーム構造、そして非免許周波数帯域の伝送のためのタイプ３フレーム構造を含む。
【０００３】
ＬＴＥシステムのような無線通信システムにおいて、ＴＴＩ（ｔｒａｎｓｍｉｓｓｉｏｎ  ｔｉｍｅ  ｉｎｔｅｒｖａｌ）は符号化されたデータパケットが物理階層信号を通じて伝送される基本時間単位を意味する。
【０００４】
ＬＴＥシステムのＴＴＩは、一つのサブフレームで構成される。つまり、リソース割り当ての最小単位であるＰＲＢ（ｐｈｙｓｉｃａｌ  ＲＢ（ｒｅｓｏｕｒｃｅ  ｂｌｏｃｋ））ペア（ｐａｉｒ）の時間軸長さは、１ｍｓである。１ｍｓ  ＴＴＩ単位の伝送を支援するために、物理信号とチャネルも大部分サブフレーム単位で定義される。例えば、ＣＲＳ（ｃｅｌｌ−ｓｐｅｃｉｆｉｃ  ｒｅｆｅｒｅｎｃｅ  ｓｉｇｎａｌ）は毎サブフレームに固定的に伝送され、ＰＤＣＣＨ（ｐｈｙｓｉｃａｌ  ｄｏｗｎｌｉｎｋ  ｃｏｎｔｒｏｌ  ｃｈａｎｎｅｌ）、ＰＤＳＣＨ（ｐｈｙｓｉｃａｌ  ｄｏｗｎｌｉｎｋ  ｓｈａｒｅｄ  ｃｈａｎｎｅｌ）、ＰＵＣＣＨ（ｐｈｙｓｉｃａｌ  ｕｐｌｉｎｋ  ｃｏｎｔｒｏｌ  ｃｈａｎｎｅｌ）、およびＰＵＳＣＨ（ｐｈｙｓｉｃａｌ  ｕｐｌｉｎｋ  ｓｈａｒｅｄ  ｃｈａｎｎｅｌ）はサブフレーム毎に伝送され得る。反面、ＰＳＳ（ｐｒｉｍａｒｙ  ｓｙｎｃｈｒｏｎｉｚａｔｉｏｎ  ｓｉｇｎａｌ）とＳＳＳ（ｓｅｃｏｎｄａｒｙ  ｓｙｎｃｈｒｏｎｉｚａｔｉｏｎ  ｓｉｇｎａｌ）は毎５番目サブフレーム毎に存在し、ＰＢＣＨ（ｐｈｙｓｉｃａｌ  ｂｒｏａｄｃａｓｔ  ｃｈａｎｎｅｌ）は毎１０番目サブフレーム毎に存在する。
【０００５】
一方、無線通信システムで複数のヌメロロジー（ｎｕｍｅｒｏｌｏｇｙ）に基づく異種フレーム構造のための信号を送受信する技術が必要である。
【発明の概要】
【発明が解決しようという課題】
【０００６】
本発明が解決しようとする課題は、無線通信システムで複数のヌメロロジー（ｎｕｍｅｒｏｌｏｇｙ）に基づく異種フレーム構造のための信号を送受信する方法および装置を提供することにある。
【課題を解決するための手段】
【０００７】
本発明の実施例によれば、基地局の伝送方法が提供される。前記基地局の伝送方法は、第１ＰＳＳ（ｐｒｉｍａｒｙ  ｓｙｎｃｈｒｏｎｉｚａｔｉｏｎ  ｓｉｇｎａｌ）と第１ＳＳＳ（ｓｅｃｏｎｄａｒｙ  ｓｙｎｃｈｒｏｎｉｚａｔｉｏｎ  ｓｉｇｎａｌ）を含む第１ディスカバリー信号ブロックを生成する段階；第２ＰＳＳと第２ＳＳＳを含む第２ディスカバリー信号ブロックを生成する段階；および前記第１ディスカバリー信号ブロックおよび前記第２ディスカバリー信号ブロックを伝送する段階を含む。
【０００８】
前記第１ＰＳＳのためのリソースと前記第１ＳＳＳのためのリソース間の時間および周波数距離は、前記第２ＰＳＳのためのリソースと前記第２ＳＳＳのためのリソース間の時間および周波数距離と同一であってもよい。
【０００９】
前記第１ディスカバリー信号ブロックは、第１ＰＢＣＨ（ｐｈｙｓｉｃａｌ  ｂｒｏａｄｃａｓｔ  ｃｈａｎｎｅｌ）をさらに含み、前記第２ディスカバリー信号ブロックは、第２ＰＢＣＨをさらに含んでもよい。
【００１０】
前記第１ＰＳＳのためのリソースと前記第１ＰＢＣＨのためのリソース間の時間および周波数距離は、前記第２ＰＳＳのためのリソースと前記第２ＰＢＣＨのためのリソース間の時間および周波数距離と同一であってもよい。
【００１１】
前記第２ディスカバリー信号ブロックを生成する段階は、前記第１ディスカバリー信号ブロックと前記第２ディスカバリー信号ブロック間にＴＤＭ（ｔｉｍｅ  ｄｉｖｉｓｉｏｎ  ｍｕｌｔｉｐｌｅｘｉｎｇ）を適用する段階を含んでもよい。
【００１２】
前記第１ディスカバリー信号ブロックと前記第２ディスカバリー信号ブロック間の時間距離は、予め定義された第１値に基づいて決定されてもよい。
【００１３】
前記基地局のＰＲＡＣＨ（ｐｈｙｓｉｃａｌ  ｒａｎｄｏｍ  ａｃｃｅｓｓ  ｃｈａｎｎｅｌ）受信のための第１ＰＲＡＣＨブロックと第２ＰＲＡＣＨブロック間の時間距離は、予め定義された第２値に基づいて決定されてもよい。
【００１４】
前記第１ディスカバリー信号ブロックおよび前記第２ディスカバリー信号ブロックによりチャージされるサブバンドの帯域幅であるセル探索帯域幅（ｃｅｌｌ  ｓｅａｒｃｈ  ｂａｎｄｗｉｄｔｈ）内に、前記第１ＰＲＡＣＨブロックおよび前記第２ＰＲＡＣＨブロックが存在してもよい。
【００１５】
前記第１ディスカバリー信号ブロックによりチャージされるリソースは連続的な時間ドメインシンボルを含んでもよい。
【００１６】
前記第１ディスカバリー信号ブロック内で、前記第１ＰＳＳは前記第１ＳＳＳよりも時間的に先立ってもよい。
【００１７】
前記基地局の伝送方法は、前記基地局のＰＲＡＣＨ（ｐｈｙｓｉｃａｌ  ｒａｎｄｏｍ  ａｃｃｅｓｓ  ｃｈａｎｎｅｌ）受信のための第１ＰＲＡＣＨブロックと第２ＰＲＡＣＨブロック間の時間距離を決定する段階をさらに含んでもよい。
【００１８】
前記第２ディスカバリー信号ブロックを生成する段階は、前記第１ディスカバリー信号ブロックと前記第２ディスカバリー信号ブロック間の時間距離を、トラフィック状況に基づいて決定する段階を含んでもよい。
【００１９】
また、本発明の他の実施例によれば、基地局の伝送方法が提供される。前記基地局の伝送方法は、ＰＳＳ（ｐｒｉｍａｒｙ  ｓｙｎｃｈｒｏｎｉｚａｔｉｏｎ  ｓｉｇｎａｌ）とＳＳＳ（ｓｅｃｏｎｄａｒｙ  ｓｙｎｃｈｒｏｎｉｚａｔｉｏｎ  ｓｉｇｎａｌ）を含む少なくとも一つのディスカバリー信号ブロックを生成する段階；およびディスカバリー信号の伝送のために予め定義されたリソースプール（ｒｅｓｏｕｒｃｅ  ｐｏｏｌ）に属するリソースのうちの一部または全部を、前記少なくとも一つのディスカバリー信号ブロックに割り当てる段階を含む。
【００２０】
前記少なくとも一つのディスカバリー信号ブロックは複数であってもよい。
【００２１】
前記基地局の伝送方法は、前記複数のディスカバリー信号ブロック間の時間距離を、トラフィック状況に応じて決定する段階をさらに含んでもよい。
【００２２】
前記基地局の伝送方法は、端末が前記少なくとも一つのディスカバリー信号ブロックを受信するように、ディスカバリー信号測定ウィンドウ（ＤＭＷ：ｄｉｓｃｏｖｅｒｙ  ｓｉｇｎａｌ  ｍｅａｓｕｒｅｍｅｎｔ  ｗｉｎｄｏｗ）の長さ（ｄｕｒａｔｉｏｎ）および周期（ｐｅｒｉｏｄｉｃｉｔｙ）を前記端末に設定する段階をさらに含んでもよい。
【００２３】
前記ＤＭＷの長さおよび周期を設定する段階は、前記端末と前記基地局がＲＲＣ（ｒａｄｉｏ  ｒｅｓｏｕｒｃｅ  ｃｏｎｔｒｏｌ）連結されている場合に、前記基地局にＲＲＣ連結されていない他の端末のために予め定義された周期値よりも大きい値で前記ＤＭＷ周期を設定し、前記他の端末のために予め定義された長さ値よりも小さい値で前記ＤＭＷ長さを設定する段階を含んでもよい。
【００２４】
前記少なくとも一つのディスカバリー信号ブロックは複数であってもよい。
【００２５】
前記割り当てる段階は、前記ＤＭＷ内で前記複数のディスカバリー信号ブロックのうちの一部を伝送する段階を含んでもよい。
【００２６】
前記基地局の伝送方法は、前記基地局のＰＲＡＣＨ（ｐｈｙｓｉｃａｌ  ｒａｎｄｏｍ  ａｃｃｅｓｓ  ｃｈａｎｎｅｌ）受信のための複数のＰＲＡＣＨブロック間の時間距離を任意に決定する段階をさらに含んでもよい。
【００２７】
前記基地局の伝送方法は、前記少なくとも一つのディスカバリー信号ブロックのうちの第１ディスカバリー信号ブロックに含まれるＰＢＣＨ（ｐｈｙｓｉｃａｌ  ｂｒｏａｄｃａｓｔ  ｃｈａｎｎｅｌ）を通じて、複数のＰＲＡＣＨ（ｐｈｙｓｉｃａｌ  ｒａｎｄｏｍ  ａｃｃｅｓｓ  ｃｈａｎｎｅｌ）フォーマットのうちの少なくとも一つを端末に伝送する段階をさらに含んでもよい。
【００２８】
前記複数のディスカバリー信号ブロック間の時間距離は、ディスカバリー信号オケージョン（ｏｃｃａｓｉｏｎ）の周期毎に同一の値で適用されてもよい。
【００２９】
また、本発明のまた他の実施例によれば、端末の受信方法が提供される。前記端末の受信方法は、ディスカバリー信号測定ウィンドウ（ＤＭＷ：ｄｉｓｃｏｖｅｒｙ  ｓｉｇｎａｌ  ｍｅａｓｕｒｅｍｅｎｔ  ｗｉｎｄｏｗ）を判断する段階；前記ＤＭＷ内でＰＳＳ（ｐｈｙｓｉｃａｌ  ｓｙｎｃｈｒｏｎｉｚａｔｉｏｎ  ｓｉｇｎａｌ）をモニタリングする段階；および前記ＤＭＷ内で複数のディスカバリー信号ブロックに対応する複数のＰＳＳを発見する場合に、前記複数のＰＳＳのうちの一つを選択する段階を含む。
【００３０】
前記判断する段階は、基地局にＲＲＣ（ｒａｄｉｏ  ｒｅｓｏｕｒｃｅ  ｃｏｎｔｒｏｌ）連結されていない場合に、予め定義された長さ値と周期値に基づき、前記ＤＭＷのための長さ（ｄｕｒａｔｉｏｎ）および周期（ｐｅｒｉｏｄｉｃｉｔｙ）を決定する段階を含んでもよい。
【００３１】
前記判断する段階は、基地局にＲＲＣ（ｒａｄｉｏ  ｒｅｓｏｕｒｃｅ  ｃｏｎｔｒｏｌ）連結されている場合に、前記基地局から前記ＤＭＷのための長さおよび周期（ｐｅｒｉｏｄｉｃｉｔｙ）の設定を受ける段階を含んでもよい。
【００３２】
前記基地局により設定されたＤＭＷ周期は、前記基地局にＲＲＣ連結されていない他の端末のために予め定義された周期値よりも大きい値を有してもよい。
【００３３】
前記基地局により設定されたＤＭＷ長さは、前記他の端末のために予め定義された長さ値よりも小さい値を有してもよい。
【００３４】
前記端末の受信方法は、前記選択されたＰＳＳに対応する第１ディスカバリー信号ブロックに含まれているＳＳＳ（ｓｅｃｏｎｄａｒｙ  ｓｙｎｃｈｒｏｎｉｚａｔｉｏｎ  ｓｉｇｎａｌ）またはＰＢＣＨ（ｐｈｙｓｉｃａｌ  ｂｒｏａｄｃａｓｔ  ｃｈａｎｎｅｌ）をモニタリングする段階をさらに含んでもよい。
【００３５】
前記選択する段階は、前記複数のＰＳＳのうちの最もよい受信性能を有するか、または予め定義された受信性能条件を満たすＰＳＳを選択する段階を含んでもよい。
【発明の効果】
【００３６】
本発明の実施例によれば、複数のヌメロロジーに基づく異種フレーム構造のための送受信方法および装置が提供され得る。
【図面の簡単な説明】
【００３７】
【図１】ＬＴＥシステムのタイプ１フレーム構造を示す図面である。
【図２】ＬＴＥシステムのタイプ２フレーム構造を示す図面である。
【図３】本発明の実施例による、方法Ｍ１０１または方法Ｍ１０２に基づくキャリアラスターおよびキャリア割り当てを示す図面である。
【図４】共通の周波数帯域内で複数のヌメロロジーが用いられる場合を示す図面である。
【図５】本発明の実施例による、方法Ｍ１１２または方法Ｍ１１３に基づくキャリアラスターおよびキャリア割り当てを示す図面である。
【図６】本発明の実施例による、方法Ｍ２０１に基づく同期信号リソース領域を示す図面である。
【図７】本発明の実施例による、方法Ｍ２０２に基づく同期信号のヌメロロジーおよび同期信号のリソース領域を示す図面である。
【図８】本発明の実施例による、方法Ｍ２０３に基づく同期信号のヌメロロジーおよび同期信号のリソース領域を示す図面である。
【図９】本発明の実施例による、方法Ｍ２１０に基づく同期信号のヌメロロジーおよび同期信号のリソース領域を示す図面である。
【図１０】本発明の実施例による、複数のヌメロロジーで構成されるキャリアに対する、同期信号のヌメロロジーおよび同期信号のリソース領域を示す図面である。
【図１１】本発明の実施例による、ディスカバリー信号の構成要素を示す図面である。
【図１２】本発明の実施例による、方法Ｍ３００に基づくディスカバリー信号オケージョンのリソース構成を示す図面である。
【図１３】本発明の実施例による、方法Ｍ３１０に基づくディスカバリー信号オケージョンのリソース構成を示す図面である。
【図１４】本発明の実施例による、方法Ｍ３００または方法Ｍ３１０において信号ブロックの間にＴＤＭが適用される場合を示す図面である。
【図１５】本発明の実施例による、ディスカバリー信号測定ウィンドウ内でディスカバリー信号オケージョンが伝送される場合を示す図面である。
【図１６】本発明の実施例による、方法Ｍ３１０に基づくディスカバリー信号とＰＲＡＣＨリソース構成を示す図面である。
【図１７】本発明の実施例による、方法Ｍ３２０と方法Ｍ３３０に基づくディスカバリー信号とＰＲＡＣＨリソース構成を示す図面である。
【図１８】本発明の実施例による、方法Ｍ３２１と方法Ｍ３３１に基づくディスカバリー信号とＰＲＡＣＨリソース構成を示す図面である。
【図１９】本発明の実施例による、コンピューティング装置を示す図面である。
【発明を実施するための形態】
【００３８】
以下、添付した図面を参照して本発明の実施例について本発明が属する技術分野における通常の知識を有する者が容易に実施することができるように詳細に説明する。しかし、本発明は、多様な異なる形態に具現することができ、ここで説明する実施例に限定されない。そして、図面において本発明を明確に説明するために、説明上不要な部分は省略し、明細書全体を通して類似する部分については類似する図面符号を付した。
【００３９】
本明細書において、同一の構成要素について重複した説明は省略する。
【００４０】
また本明細書において、ある構成要素が他の構成要素に「連結されて」いるか、「接続されて」いると言及された時には、その他の構成要素に直接的に連結されているか、または接続されていることもできるが、中間に他の構成要素が存在することもできると理解されなければならない。反面、本明細書において、ある構成要素が他の構成要素に「直接連結されて」いるか、または「直接接続されて」いると言及された時には、中間に他の構成要素が存在しないと理解されなければならない。
【００４１】
また、本明細書において使用される用語は、単に特定の実施例を説明するために使用されるものであり、本発明を限定しようとする意図で使用されるものではない。
【００４２】
また本明細書において、単数の表現は、文脈上明白に異なって意味しない限り、複数の表現を含むことができる。
【００４３】
また本明細書において、「含む」または「有する」などの用語は、明細書に記載された特徴、数字、段階、動作、構成要素、部品、またはこれらを組み合わせたものが存在することを指定しようとすることに過ぎず、一つまたはそれ以上の他の特徴、数字、段階、動作、構成要素、部品またはこれらを組み合わせたものの存在または付加可能性を予め排除しないものと理解されなければならない。
【００４４】
また本明細書において、「および／または」という用語は、複数の記載された項目の組み合わせまたは複数の記載された項目のうちのある項目を含む。本明細書において、「ＡまたはＢ」は、「Ａ」、「Ｂ」、または「ＡとＢのすべて」を含むことができる。
【００４５】
また本明細書において、端末（ｔｅｒｍｉｎａｌ）は、移動端末（ｍｏｂｉｌｅ  ｔｅｒｍｉｎａｌ）、移動局（ｍｏｂｉｌｅ  ｓｔａｔｉｏｎ）、進歩した移動局（ａｄｖａｎｃｅｄ  ｍｏｂｉｌｅ  ｓｔａｔｉｏｎ）、高信頼性移動局（ｈｉｇｈ  ｒｅｌｉａｂｉｌｉｔｙ  ｍｏｂｉｌｅ  ｓｔａｔｉｏｎ）、加入者局（ｓｕｂｓｃｒｉｂｅｒ  ｓｔａｔｉｏｎ）、携帯加入者局（ｐｏｒｔａｂｌｅ  ｓｕｂｓｃｒｉｂｅｒ  ｓｔａｔｉｏｎ）、接近端末（ａｃｃｅｓｓ  ｔｅｒｍｉｎａｌ）、使用者装備（ｕｓｅｒ  ｅｑｕｉｐｍｅｎｔ、ＵＥ）などを称すこともでき、移動端末、移動局、進歩した移動局、高信頼性移動局、加入者局、携帯加入者局、接近端末、使用者装備などの全部または一部の機能を含むこともできる。
【００４６】
また本明細書において、基地局（ｂａｓｅ  ｓｔａｔｉｏｎ、ＢＳ）は、進歩した基地局（ａｄｖａｎｃｅｄ  ｂａｓｅ  ｓｔａｔｉｏｎ）、高信頼性基地局（ｈｉｇｈ  ｒｅｌｉａｂｉｌｉｔｙ  ｂａｓｅ  ｓｔａｔｉｏｎ、ＨＲ−ＢＳ）、ノードＢ（ｎｏｄｅ  Ｂ、ＮＢ）、高度化ノードＢ（ｅｖｏｌｖｅｄ  ｎｏｄｅ  Ｂ、ｅＮｏｄｅＢ、ｅＮＢ）、接近点（ａｃｃｅｓｓ  ｐｏｉｎｔ）、無線接近局（ｒａｄｉｏ  ａｃｃｅｓｓ  ｓｔａｔｉｏｎ）、送受信基地局（ｂａｓｅ  ｔｒａｎｓｃｅｉｖｅｒ  ｓｔａｔｉｏｎ）、ＭＭＲ（ｍｏｂｉｌｅ  ｍｕｌｔｉｈｏｐ  ｒｅｌａｙ）−ＢＳ、基地局の役割を果たす中継器（ｒｅｌａｙ  ｓｔａｔｉｏｎ）、基地局の役割を果たす高信頼性中継器（ｈｉｇｈ  ｒｅｌｉａｂｉｌｉｔｙ  ｒｅｌａｙ  ｓｔａｔｉｏｎ）、リピータ、マクロ基地局、小型基地局などを称すこともでき、進歩した基地局、ＨＲ−ＢＳ、ノードＢ、ｅＮｏｄｅＢ、接近点、無線接近局、送受信基地局、ＭＭＲ−ＢＳ、中継器、高信頼性中継器、リピータ、マクロ基地局、小型基地局などの全部または一部の機能を含むこともできる。
【００４７】
図１は、ＬＴＥシステムのタイプ１フレーム構造を示す図面である。
【００４８】
１個のラジオフレーム（ｒａｄｉｏ  ｆｒａｍｅ）は１０ｍｓ（＝３０７２００Ｔｓ）の長さを有し、１０個のサブフレーム（ｓｕｂｆｒａｍｅ）で構成される。ここで、Ｔｓは、サンプリング時間（ｓａｍｐｌｉｎｇ  ｔｉｍｅ）であり、Ｔｓ＝１／（１５ｋＨｚ＊２０４８）の値を有する。各サブフレームは１ｍｓの長さを有し、１個のサブフレームは長さが０．５ｍｓである２個のスロット（ｓｌｏｔ）で構成される。１個のスロットはノーマル（ｎｏｒｍａｌ）ＣＰ（ｃｙｃｌｉｃ  ｐｒｅｆｉｘ）の場合に７個の時間ドメインシンボル（例：ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル）で構成され、拡張（ｅｘｔｅｎｄｅｄ）ＣＰの場合に６個の時間ドメインシンボル（例：ＯＦＤＭシンボル）で構成される。本明細書において、時間ドメインシンボルはＯＦＤＭシンボル、またはＳＣ（ｓｉｎｇｌｅ  ｃａｒｒｉｅｒ）−ＦＤＭＡ（ｆｒｅｑｕｅｎｃｙ  ｄｉｖｉｓｉｏｎ  ｍｕｌｔｉｐｌｅ  ａｃｃｅｓｓ）シンボルなどであってもよい。ただし、これは例示に過ぎず、時間ドメインシンボルがＯＦＤＭシンボルやＳＣ−ＦＤＭＡシンボルと異なるシンボルである場合にも本発明の実施例は適用され得る。
【００４９】
図２は、ＬＴＥシステムのタイプ２フレーム構造を示す図面である。
【００５０】
ラジオフレーム、サブフレーム、そしてスロット間の関係とそれぞれの長さは、タイプ１フレーム構造の場合と同一である。タイプ２フレーム構造とタイプ１フレーム構造間の差異点として、タイプ２フレーム構造で１個のラジオフレームは下りリンク（ＤＬ：ｄｏｗｎｌｉｎｋ）サブフレーム、上りリンク（ＵＬ：ｕｐｌｉｎｋ）サブフレーム、および特別（ｓｐｅｃｉａｌ）サブフレームで構成される。
【００５１】
特別サブフレームは、下りリンクサブフレームと上りリンクサブフレームの間に存在し、ＤｗＰＴＳ（ｄｏｗｎｌｉｎｋ  ｐｉｌｏｔ  ｔｉｍｅ  ｓｌｏｔ）、ＧＰ（ｇｕａｒｄ  ｐｅｒｉｏｄ）、およびＵｐＰＴＳ（ｕｐｌｉｎｋ  ｐｉｌｏｔ  ｔｉｍｅ  ｓｌｏｔ）を含む。
【００５２】
１個のラジオフレームは、下りリンク−上りリンクスイッチング周期（ｐｅｒｉｏｄｉｃｉｔｙ）が５ｍｓである場合に２個の特別サブフレームを含み、下りリンク−上りリンクスイッチング周期が１０ｍｓである場合に１個の特別サブフレームを含む。具体的に図２には、下りリンク−上りリンクスイッチング周期が５ｍｓであり、サブフレーム１番およびサブフレーム６番が特別サブフレームである場合が例示されている。
【００５３】
ＤｗＰＴＳは、セル探索、同期化、またはチャネル推定のために用いられる。ＧＰは、端末の多重経路遅延差により基地局の上りリンクで発生する干渉を除去するための区間（ｐｅｒｉｏｄ）である。ＵｐＰＴＳ区間ではＰＲＡＣＨ（ｐｈｙｓｉｃａｌ  ｒａｎｄｏｍ  ａｃｃｅｓｓ  ｃｈａｎｎｅｌ）またはＳＲＳ（ｓｏｕｎｄｉｎｇ  ｒｅｆｗｅｒａｎｓｕ  ｓｉｇｎａｌ）の伝送が可能である。本発明の実施例による無線通信システムは、多様な無線通信ネットワークに適用され得る。例えば、無線通信システムは、現在の無線接続技術（ＲＡＴ：ｒａｄｉｏ  ａｃｃｅｓｓ  ｔｅｃｈｎｏｌｏｇｙ）基盤の無線通信ネットワーク、または５Ｇおよび５Ｇ以降の無線通信ネットワークに適用され得る。３ＧＰＰは、ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０要求事項を満たす新たなＲＡＴ基盤の５Ｇ標準規格を開発しており、このような新たなＲＡＴをＮＲ（ｎｅｗ  ｒａｄｉｏ）という。本明細書では説明の便宜上、ＮＲ基盤の無線通信システムを例に挙げて説明する。しかし、これは例示に過ぎず、本発明はこれに限定されず、多様な無線通信システムに適用され得る。
【００５４】
ＮＲと従来の３ＧＰＰシステム（例：ＣＤＭＡ（ｃｏｄｅ  ｄｉｖｉｓｉｏｎ  ｍｕｌｔｉｐｌｅｌｅ  ａｃｃｅｓｓ）、ＬＴＥなど）間の差異点の一つとして、ＮＲは伝送容量増大のために広い範囲の周波数帯域を活用する。これと関連して、ＩＴＵ（ｉｎｔｅｒｎａｔｉｏｎａｌ  ｔｅｌｅｃｏｍｍｕｎｉｃａｔｉｏｎ  ｕｎｉｏｎ）が主管するＷＲＣ（ｗｏｒｌｄ  ｒａｄｉｏｃｏｍｍｕｎｉｃａｔｉｏｎ  ｃｏｎｆｅｒｅｎｃｅｓ）−１５は、次期ＷＲＣ−１９議題を決めたが、ＷＲＣ−１９議題はＩＭＴ−２０２０のための候補周波数帯域で２４．２５〜８６ＧＨｚ帯域を検討することを含む。３ＧＰＰは、１ＧＨｚ以下から１００ＧＨｚまでの帯域をＮＲ候補帯域として考慮している。
【００５５】
ＮＲのための波形（ｗａｖｅｆｏｒｍ）技術としては、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）、Ｆｉｌｔｅｒｅｄ  ＯＦＤＭ、ＧＦＤＭ（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ）、ＦＢＭＣ（ｆｉｌｔｅｒ  ｂａｎｋ  ｍｕｌｔｉ−ｃａｒｒｉｅｒ）、ＵＦＭＣ（ｕｎｉｖｅｒｓａｌ  ｆｉｌｔｅｒｅｄ  ｍｕｌｔｉ−ｃａｒｒｉｅｒ）などが候補技術として議論されている。
【００５６】
本明細書では、無線接続のための波形技術として、ＣＰ基盤のＯＦＤＭ（ＣＰ−ＯＦＤＭ）が用いられる場合を仮定する。しかし、これは単に説明の便宜のためのものに過ぎず、本発明はＣＰ−ＯＦＤＭに限定されず、多様な波形技術に適用され得る。一般にＣＰ−ＯＦＤＭ技術の範疇には、ウインドーイング（ｗｉｎｄｏｗｅｄ）および／またはフィルタリング（ｆｉｌｔｅｒｅｄ）が適用されたＣＰ−ＯＦＤＭ技術やスプレッドスペクトル（ｓｐｒｅａｄ  ｓｐｅｃｔｒｕｍ）ＯＦＤＭ技術（例：ＤＦＴ−ｓｐｒｅａｄ  ＯＦＤＭ）が含まれる。
【００５７】
下記の表１は、ＮＲシステムのためのＯＦＤＭシステムパラメータ構成の例を示す。
【００５８】
表１（ＯＦＤＭシステムパラメータ構成の例示）では、７００ＭＨｚ〜１００ＧＨｚの周波数帯域が３個領域（つまり、低周波帯域（〜６ＧＨｚ）、高周波帯域（３〜４０ＧＨｚ）、超高周波帯域（３０〜１００ＧＨｚ））に区分され、各周波数帯域に互いに異なるＯＦＤＭヌメロロジーが適用される。この時、ＯＦＤＭシステムの副搬送波間隔（ｓｕｂｃａｒｒｉｅｒ  ｓｐａｃｉｎｇ）を決定する最も大きい要因のうちの一つは、受信端が経る搬送波周波数オフセット（ＣＦＯ：ｃａｒｒｉｅｒ  ｆｒｅｑｕｅｎｃｙ  ｏｆｆｓｅｔ）である。搬送波周波数オフセット（ＣＦＯ）は、ドップラー効果（Ｄｏｐｐｌｅｒ  ｅｆｆｅｃｔ）と位相漂流（ｐｈａｓｅ  ｄｒｉｆｔ）などにより、動作周波数に比例して増加する特徴を有する。したがって、搬送波周波数オフセットによる性能劣化を防止するために、副搬送波間隔は動作周波数に比例して増加しなければならない。反面、副搬送波間隔が過度に大きいとＣＰオーバーヘッドが増加する短所がある。したがって、副搬送波間隔は周波数帯域別に、チャネルとＲＦ（ｒａｄｉｏ  ｆｒｅｑｕｅｎｃｙ）特性を考慮した適切な値で定義されなければならない。表１に例示したＳＥＴ  Ａ、Ｂ、およびＣの副搬送波間隔は、それぞれ、１６．８７５ｋＨｚ、６７．５ｋＨｚ、および２７０ｋＨｚであり、目標動作周波数にほぼ比例し、互いに４倍ずつ差が生じるように構成される。
【表１】
2019516256.tif 000003
【００５９】
一方、表１で用いられた副搬送波間隔の値は例示に過ぎず、副搬送波間隔は他の値にいくらでも設計され得る。例えば、基本（ｂａｓｅ）ヌメロロジーとして既存のＬＴＥ副搬送波間隔である１５ｋＨｚが用いられ、これを基準として２の指数乗倍にスケーリングされた副搬送波間隔（例：３０ｋＨｚ、６０ｋＨｚ、１２０ｋＨｚ、２４０ｋＨｚなど）がヌメロロジースケーリングのために用いられ得る。これは下表２（ＯＦＤＭシステムパラメータ構成の例示）に例示されている。異種ヌメロロジーの副搬送波間隔の間に２の指数乗倍分の差が生じるように副搬送波間隔を構成することは、異種ヌメロロジー間の動作（例：キャリアアグリゲーション、二重連結性、または一つのキャリア内で異種ヌメロロジーを多重化する場合など）に有利になり得る。
【表２】
2019516256.tif 000004
【００６０】
一つのヌメロロジーは、基本的に一つのセル（またはキャリア）のために用いられてもよく、一つのキャリア内の特定時間−周波数リソースのために用いられてもよい。異種ヌメロロジーは、表１に例示されたとおり互いに異なる動作周波数帯域のために用いられてもよく、同一の周波数帯域内で互いに異なるサービスタイプを支援するために用いられてもよい。後者の例として、表１のＳＥＴ  Ａは、６ＧＨｚ以下帯域のｅＭＢＢ（ｅｎｈａｎｃｅｄ  ｍｏｂｉｌｅ  ｂｒｏａｄｂａｎｄ）サービスのために用いられ、表１のＳＥＴ  ＢまたはＣは、６ＧＨｚ以下帯域のＵＲＬＬＣ（ｕｌｔｒａ−ｒｅｌｉａｂｌｅ  ｌｏｗ  ｌａｔｅｎｃｙ  ｃｏｍｍｕｎｉｃａｔｉｏｎ）サービスのために用いられてもよい。一方、ｍＭＴＣやＭＢＭＳ（ｍｕｌｔｉｍｅｄｉａ  ｂｒｏａｄｃａｓｔ  ｍｕｌｔｉｃａｓｔ  ｓｅｒｖｉｃｅｓ）サービスを支援するために、基本ヌメロロジーの副搬送波間隔よりも小さい副搬送波間隔を有するヌメロロジーが用いられてもよい。そのために、基本ヌメロロジーの副搬送波間隔が１５ｋＨｚである場合、７．５ｋＨｚまたは３．７５ｋＨｚの副搬送波間隔が考慮され得る。
【００６１】
以下、無線通信システムにおいて複数のヌメロロジーに基づく異種フレーム構造のための信号を伝送する方法および装置について説明する。
【００６２】
［キャリアラスター］
端末は初期セル探索過程でセル（またはキャリア）を発見するために、当該セルが属した周波数帯域内でキャリアラスター（ｒａｓｔｅｒ）上のすべての候補周波数に対して当該セルの同期信号を探知可能でなければならない。同期信号は前記候補周波数のうちの一つの周波数を基準として、伝送され得る。例えば、ＬＴＥシステムでは、キャリアラスター目盛間の間隔が１００ｋＨｚであり、同期信号が伝送される副搬送波の中心であるＤＣ（ｄｉｒｅｃｔ  ｃｕｒｒｅｎｔ）副搬送波が特定のキャリアラスター目盛上に整列される。
【００６３】
そして、端末は同期信号検出に成功した場合に、当該キャリアラスター目盛の周波数値からセル（またはキャリア）の中心周波数位置を導出することができる。ＬＴＥシステムの場合に、同期信号の中心周波数とセル（またはキャリア）の中心周波数が一致するため、端末は基地局の助けなしでセル（またはキャリア）の中心周波数を獲得することができる。
【００６４】
一方、周波数リソース利用効率を上げるために、新たなキャリアラスターが設計されてもよい。以下、キャリアラスターは、同期信号の候補基準周波数の集合を意味することもでき、セル（またはキャリア）の候補中心周波数の集合を意味することもできる。前者と後者は一般に互いに区分され得る。
【００６５】
バンド内隣接キャリアアグリゲーション（ｉｎｔｒａ−ｂａｎｄ  ｃｏｎｔｉｇｕｏｕｓ  ｃａｒｒｉｅｒ  ａｇｇｒｅｇａｔｉｏｎ）の場合に、キャリア間に不可避に発生する遊休帯域を最小化するために、キャリアラスターの周波数間隔は副搬送波間隔の倍数で決められ得る。これを、方法Ｍ１００という。
【００６６】
または、一つのリソースブロックが周波数軸でＮ個のリソース要素として構成されることを仮定する場合に、ラスター間隔（ｒａｓｔｅｒ  ｓｐａｃｉｎｇ）は（副搬送波間隔とＮの積）の倍数で決められ得る。これを、方法Ｍ１０１という。例えば、１５ｋＨｚの副搬送波間隔を有するヌメロロジーが用いられる周波数帯域のためのキャリアラスターの間隔は、方法Ｍ１００によって、１５ｋＨｚの倍数であってもよい。この時、Ｎ＝１２であることを仮定すれば、ラスター間隔は方法Ｍ１０１によって、１８０ｋＨｚまたは１８０ｋＨｚの倍数であってもよい。
【００６７】
図３は、本発明の実施例による、方法Ｍ１０１または方法Ｍ１０２に基づくキャリアラスターおよびキャリア割り当てを示す図面である。
【００６８】
具体的に図３の（ａ）と（ｂ）には、方法Ｍ１０１の実施例として、キャリアラスター間隔が一つのリソースブロックによりチャージされる帯域幅と同一な場合が例示されている。
【００６９】
図３の（ａ）に例示されたとおり、２個の隣接したキャリア（Ｃａｒｒｉｅｒ１、Ｃａｒｒｉｅｒ２）がすべて偶数個（例：４個）のリソースブロック（例：ＲＢ０、ＲＢ１、ＲＢ２、ＲＢ３）を有する場合に、キャリア（Ｃａｒｒｉｅｒ１、Ｃａｒｒｉｅｒ２）間の遊休帯域（またはｂａｎｄ  ｇａｐ）がないように、方法Ｍ１０１はキャリア割り当てを行うことができる。これは、２個の隣接したキャリアのすべてが奇数個のリソースブロックを有する場合にも、同一または類似に適用され得る。
【００７０】
しかし、図３の（ｂ）に例示されたとおり、一つのキャリア（Ｃａｒｒｉｅｒ１）は偶数個（例：４個）のリソースブロック（例：ＲＢ０〜ＲＢ３）を有し、これと隣接した他のキャリア（Ｃａｒｒｉｅｒ２）は奇数個（例：３個）のリソースブロック（例：ＲＢ０〜ＲＢ２）を有する場合には、キャリア（Ｃａｒｒｉｅｒ１、Ｃａｒｒｉｅｒ２）間の遊休帯域（またはｂａｎｄ  ｇａｐ）が発生することがある。
【００７１】
前述した問題を解決するために、ラスター間隔は（副搬送波間隔とＮ／２の積）、つまり、一つのリソースブロックによりチャージされる周波数帯域の半分で決められ得る。これを、方法Ｍ１０２という。例えば、副搬送波間隔が１５ｋＨｚであり、Ｎ＝１２である場合に、ラスター探索間隔は９０ｋＨｚであってもよい。図３の（ｃ）には方法Ｍ１０２の実施例が例示されている。
【００７２】
図３の（ｃ）に例示されたとおり、一つのキャリア（Ｃａｒｒｉｅｒ１）が偶数個（例：４個）のリソースブロック（例：ＲＢ０〜ＲＢ３）を有し、これと隣接した他のキャリア（Ｃａｒｒｉｅｒ２）が奇数個（例：３個）のリソースブロック（例：ＲＢ０〜ＲＢ２）を有する場合にも、キャリア（Ｃａｒｒｉｅｒ１、Ｃａｒｒｉｅｒ２）間の遊休帯域（またはｂａｎｄ  ｇａｐ）がないように、方法Ｍ１０２はキャリア割り当てを行うことができる。
【００７３】
方法Ｍ１０１と方法Ｍ１０２において、中心周波数の位置設計が重要である。もし、ＬＴＥ下りリンクのように、中心周波数の副搬送波一つがＤＣ（ｄｉｒｅｃｔ  ｃｕｒｒｅｎｔ）副搬送波で定義され、ＤＣ副搬送波がリソースブロックの構成から除外される場合に、たとえ方法Ｍ１０１または方法Ｍ１０２が用いられても、ＤＣ副搬送波によりチャージされる周波数帯域により、キャリア間の遊休帯域が発生することもある。反面、ＬＴＥ上りリンクのように、中心周波数が２個の副搬送波の中間で定義され、すべての副搬送波（ただし、保護帯域の副搬送波は除外される）を用いてリソースブロックが構成される場合に、方法Ｍ１０１または方法Ｍ１０２の前述した効果が獲得され得る。これは、後述する方法でも同様に成立され得る。
【００７４】
一方、前述のように、一つの周波数帯域内で複数のヌメロロジーが用いられてもよい。ここで、一つの周波数帯域とは、特定の周波数範囲を意味し、特定の周波数範囲は広くても狭くてもよい。例えば、特定の周波数範囲は一つのキャリアの帯域幅であってもよく、一般に数〜数百ＭＨｚの帯域幅を有する一つの周波数バンドであってもよく、それより広い領域であってもよい。
【００７５】
図４は、共通の周波数帯域内で複数のヌメロロジーが用いられることを示す図面である。具体的に図４には、３個の異種ヌメロロジー（Ｎｕｍｅｒｏｌｏｇｙ１、Ｎｕｍｅｒｏｌｏｇｙ２、Ｎｕｍｅｒｏｌｏｇｙ３）が共通の周波数帯域内で用いられる場合が例示されている。
【００７６】
図４では、ヌメロロジー２の副搬送波間隔がヌメロロジー１の副搬送波間隔よりも大きく、ヌメロロジー３の副搬送波間隔がヌメロロジー２の副搬送波間隔よりも大きいと仮定する。これは、図４でリソースグリッド（ｒｅｓｏｕｒｃｅ  ｇｒｉｄ）の時間軸の長さ差（ＯＦＤＭシンボルの長さ差）またはリソースグリッドの周波数軸の長さ差で表現される。例えば、ヌメロロジー１の副搬送波間隔が１５ｋＨｚである場合に、ヌメロロジー２とヌメロロジー３の副搬送波間隔は、それぞれ、３０ｋＨｚと６０ｋＨｚであってもよい。
【００７７】
複数の異種ヌメロロジーは、それぞれ互いに異なるキャリアのために用いられてもよく、一つのキャリア内で共に用いられてもよい。具体的に図４には、ヌメロロジー１とヌメロロジー２が一つのキャリア内で共存し、ヌメロロジー３が単独で一つのキャリアを構成する場合が例示されている。
【００７８】
一方、一つの周波数帯域内で複数のヌメロロジーが用いられる場合に、キャリアラスターはヌメロロジー別に定義され得る。これを、方法Ｍ１１０という。この時、ヌメロロジー別にキャリアラスターの目盛が区別されるように、キャリアラスター目盛のオフセットが決定され得る。これを、方法Ｍ１１１という。
【００７９】
例えば、ヌメロロジー１のキャリアラスターは、０ｋＨｚオフセットと１００ｋＨｚ間隔を有し、ヌメロロジー２のキャリアラスターは、５０ｋＨｚオフセットと２００ｋＨｚ間隔を有することができる。つまり、１００ｋＨｚ、２００ｋＨｚ、３００ｋＨｚなどの周波数はヌメロロジー１の中心周波数候補であり、５０ｋＨｚ、２５０ｋＨｚ、４５０ｋＨｚなどの周波数はヌメロロジー２の中心周波数候補であってもよい。この時、例えば、端末がヌメロロジー２を有するセル（またはキャリア）だけを初期探索する場合に、端末は５０ｋＨｚオフセットと２００ｋＨｚ間隔を有する候補中心周波数だけを探索する。この時、端末が探索を成功したセル（またはキャリア）の全体または一部領域にヌメロロジー２が適用されることを、端末は見なすことができる。
【００８０】
一方、方法Ｍ１１０の場合に、ヌメロロジーをためのキャリアラスターの目盛が互いに包含関係を有するように定義され得る。これを、方法Ｍ１１２という。
【００８１】
例えば、ヌメロロジー１のキャリアラスターは、０ｋＨｚオフセットと１００ｋＨｚ間隔を有し、ヌメロロジー２のキャリアラスターは、０ｋＨｚオフセットと２００ｋＨｚ間隔を有することができる。この場合に、１００ｋＨｚ、３００ｋＨｚ、５００ｋＨｚなどの周波数はヌメロロジー１の中心周波数候補であり、２００ｋＨｚ、４００ｋＨｚ、６００ｋＨｚなどの周波数はヌメロロジー１とヌメロロジー２の中心周波数候補であってもよい。
【００８２】
端末がある周波数帯域内で複数のヌメロロジーに対してセル（またはキャリア）を初期探索する場合に、方法Ｍ１１２は方法Ｍ１１１に比べて、端末が探索すべきキャリアラスター目盛の数を減らすことができる。この時、前記例示において、端末が２００ｋＨｚ、４００ｋＨｚ、６００ｋＨｚなどの周波数でセルを探知する場合に、端末が探知されたセルがヌメロロジー１であるのか、ヌメロロジー２であるのかを区分できる方法が必要である。これについては、後述する「同期信号設計」の部分で詳細に説明する。
【００８３】
一方、方法Ｍ１１０、方法Ｍ１１１、または方法Ｍ１１２の場合に、ヌメロロジーをためのキャリアラスターの周波数間隔は、各ヌメロロジーが有する副搬送波間隔に比例するように決められ得る。これを、方法Ｍ１１３という。例えば、ヌメロロジー１とヌメロロジー２が、それぞれ、１５ｋＨｚと３０ｋＨｚの副搬送波間隔を有する場合に、ヌメロロジー２のキャリアラスター間隔はヌメロロジー１のキャリアラスター間隔の２倍であってもよい。この時、キャリアラスター間隔を定義する方法として、方法Ｍ１０１と方法Ｍ１０２が用いられてもよい。
【００８４】
一方、一つのリソースブロックが周波数軸で有するリソース要素の数であるＮＲＥがすべてのヌメロロジーに対して同一な場合に、方法Ｍ１１３は同一帯域内キャリア間の遊休帯域を最小化するのに役立てる。
【００８５】
図５は、本発明の実施例による、方法Ｍ１１２または方法Ｍ１１３に基づくキャリアラスターおよびキャリア割り当てを示す図面である。具体的に図５では、ヌメロロジー２（Ｎ２）の副搬送波間隔がヌメロロジー１（Ｎ１）の副搬送波間隔の２倍であることを仮定する。
【００８６】
方法Ｍ１１２によりヌメロロジー１（Ｎ１）のためのキャリアラスターがヌメロロジー２（Ｎ２）のためのキャリアラスターを含み、方法Ｍ１１３によりヌメロロジー２（Ｎ２）のためのキャリアラスター間隔はヌメロロジー１（Ｎ１）のためのキャリアラスター間隔の２倍である。
【００８７】
この時、ヌメロロジー１（Ｎ１）とヌメロロジー２（Ｎ２）に対してＮＲＥ（一つのリソースブロックが周波数軸で有するリソース要素の数）が同一であることを仮定すれば、図５に例示されたとおり、キャリア２（Ｃａｒｒｉｅｒ２）のリソースブロックがキャリア１（Ｃａｒｒｉｅｒ１）のリソースブロックよりも２倍広い帯域幅を占める。
【００８８】
図５では、ラスター間隔を定義するために方法Ｍ１０１が用いられることを仮定する。つまり、ヌメロロジー１（Ｎ１）のラスター間隔はキャリア１のリソースブロック一つによりチャージされる帯域幅と同一であり、ヌメロロジー２（Ｎ２）のラスター間隔はキャリア２のリソースブロック一つによりチャージされる帯域幅と同一である。
【００８９】
これに対する効果として、キャリア２のリソースブロックの数が偶数でも（例：図５の（ａ））奇数でも（例：図５の（ｂ））関係なしに、キャリア１が偶数個のリソースブロック（ＲＢ０〜ＲＢ３）を有する場合にキャリア（Ｃａｒｒｉｅｒ１、Ｃａｒｒｉｅｒ２）間の遊休帯域（またはｇｕａｒｄ  ｂａｎｄ）がないように、キャリア割り当てが行われ得る。
【００９０】
もし、方法Ｍ１０１の代わりに方法Ｍ１０２が用いられると、キャリア１が奇数個のリソースブロックを有する場合にもキャリア間の遊休帯域がないように、キャリア割り当てが行われ得る。その代わりに、キャリアラスター間隔が減ることによって、セル探索の複雑度が増加することがある。
【００９１】
一方、一つのキャリアラスターが複数のヌメロロジーに対して共通で定義され得る。これを、方法Ｍ１２０という。例えば、一つの周波数帯域内で最も小さい副搬送波間隔を有するヌメロロジーを基準として定義されたキャリアラスターが、複数のヌメロロジーのために用いられてもよい。この時、端末はすべてのキャリアラスター目盛に対して複数のヌメロロジーをためのセル探索を行わなければならないこともあるため、方法Ｍ１２０は方法Ｍ１１２に比べて複雑度を増加させることがある。
【００９２】
一方、キャリアラスターは、周波数帯域格別と定義されてもよい。例えば、高周波帯域では相対的に大きい副搬送波間隔を有するヌメロロジー（ら）だけが用いられるように定義されてもよい。この時、前記高周波帯域のためのキャリアラスターは、低周波帯域のためのキャリアラスターよりも広い間隔を有することができる。
【００９３】
［同期信号］
前述によれば、端末は初期セル探索過程において一つのキャリアラスター目盛とこれに対応する同期信号またはセル（またはキャリア）に対して、複数のヌメロロジーを仮定しなければならないこともある。
【００９４】
以下、共通の周波数範囲内で複数のヌメロロジーが用いられる場合に基地局が端末の初期セル探索のための同期信号を伝送する方法について説明する。
【００９５】
まず、単一のヌメロロジーで構成されるキャリアの場合を考慮する。この時、同期信号のヌメロロジーとキャリアのヌメロロジー間の関係により、方法Ｍ２００と方法Ｍ２１０が存在する。
【００９６】
方法Ｍ２００は、同期信号に適用されるヌメロロジーは同期信号が属したキャリアのヌメロロジーに従う方法である。
【００９７】
方法Ｍ２００によれば、同期信号と隣接した周波数領域の信号間に干渉がないため、方法Ｍ２００は保護帯域を追加的に設定する必要がないという長所を有する。
【００９８】
端末は、複数のヌメロロジー候補に対して各ヌメロロジー別に同期信号検出を試みることができる。端末が検出に成功した同期信号が存在する場合に、端末は検出された同期信号のヌメロロジーを、検出された同期信号が属したキャリアのヌメロロジーと見なすことができる。
【００９９】
同期信号検出が時間ドメインで行われる場合に、その過程はサンプリング、フィルタリング（ｆｉｌｔｅｒｉｎｇ）、および相関器（ｃｏｒｒｅｌａｔｏｒ）を通じて行われ得る。ここで、フィルタリングは、ＬＴＥのように、同期信号が中心周波数を基準として対称に配置される場合に低域通過（ｌｏｗ−ｐａｓｓ）フィルタリングであってもよい。相関器は、同期信号シークエンスの特性により、自己相関器（ａｕｔｏ−ｃｏｒｒｅｌａｔｏｒ  ｏｒ  ｓｅｌｆ−ｃｏｒｒｅｌａｔｏｒ）、相互相関器（ｃｒｏｓｓ−ｃｏｒｒｅｌａｔｏｒ）などで具現され得る。
【０１００】
同期信号のシークエンスとしては、ザドフチュー（Ｚａｄｏｆｆ−Ｃｈｕ）シークエンス、ゴールド（ｇｏｌｄ）シークエンスなどが用いられ得る。同期信号のリソース領域が複数のＯＦＤＭシンボルで構成される場合に、同期信号のシークエンスはＯＦＤＭシンボル別に定義されてもよく、複数のＯＦＤＭシンボルを占める長いシークエンスであってもよい。
【０１０１】
以下、方法Ｍ２００の細部方法である方法Ｍ２０１と方法Ｍ２０２について説明する。
【０１０２】
方法Ｍ２０１は、同期信号リソース領域の時間−周波数リソース要素構成が複数のヌメロロジーに対して同一な方法である。つまり、方法Ｍ２０１は、同期信号のリソース要素マッピング（ｒｅｓｏｕｒｃｅ  ｅｌｅｍｅｎｔ  ｍａｐｐｉｎｇ）がヌメロロジーに関係なしに同一な方法である。
【０１０３】
図６は、本発明の実施例による、方法Ｍ２０１に基づく同期信号リソース領域を示す図面である。
【０１０４】
具体的に図６には、２個の互いに異なるヌメロロジー（Ｎｕｍｅｒｏｌｏｇｙ１、Ｎｕｍｅｒｏｌｏｇｙ２）に方法Ｍ２０１が適用される場合が例示されている。図６では、同期信号のシークエンス長さが６であり、ヌメロロジー２の副搬送波間隔がヌメロロジー１の副搬送波間隔よりも大きい場合を仮定する。
【０１０５】
方法Ｍ２０１によれば、ヌメロロジー１とヌメロロジー２のすべてに対して同期信号のリソース領域は、時間軸で１個のリソース要素（つまり、１個のＯＦＤＭシンボル）を占め、周波数軸で６個の連続的なリソース要素を占める。
【０１０６】
ＦＢＷ、１は、ヌメロロジー１が適用された同期信号によりチャージされる帯域幅を示し、ＦＢＷ、２は、ヌメロロジー２が適用された同期信号によりチャージされる帯域幅を示す。ＦＢＷ、２がＦＢＷ、１より大きい。
【０１０７】
方法Ｍ２０１が用いられる場合に、端末はヌメロロジー別に互いに異なるサンプリング、互いに異なるフィルタリング、および／または互いに異なる相関器を適用しなければならないこともあるため、端末の初期セル探索のための複雑度および遅延時間が増加することがある。またヌメロロジーの副搬送波間隔が大きい場合に、初期セル探索に利用される帯域幅が広くなるため、要求されるサンプリングレート（ｓａｍｐｌｉｎｇ  ｒａｔｅ）が増加することがある。例えば、キャリアの副搬送波間隔が６０ｋＨｚである場合に、副搬送波間隔が１５ｋＨｚの場合に比べて４倍高いサンプリングレートが要求されることがある。反面、副搬送波間隔が大きいほど同期信号が伝送される区間が短くなるため、方法Ｍ２０１は高周波帯域でビームスウィーピング（ｂｅａｍ  ｓｗｅｅｐｉｎｇ）基盤伝送に有利になり得る。
【０１０８】
本明細書において、同期信号のリソース領域とは、同期信号がマッピングされるリソース要素の集合を基本的に意味する。一方、端末の同期信号検出のための帯域通過フィルタリングが非理想的（ｎｏｎ−ｉｄｅａｌ）である場合、同期信号の帯域幅両端に保護帯域が挿入されなければならないこともある。例えば、ＬＴＥでは、ＰＳＳとＳＳＳの帯域幅両端に存在する隣接する５個の副搬送波が保護帯域として定義される。このような場合に、同期信号のリソース領域は、同期信号がマッピングされるリソース領域と保護帯域を共に含む領域を意味し得る。
【０１０９】
方法Ｍ２０２は、同期信号リソース領域によりチャージされる帯域幅がヌメロロジーに関係なしに同一または類似するように、帯域幅を定義する方法である。
【０１１０】
図７は、本発明の実施例による、方法Ｍ２０２に基づく同期信号のヌメロロジーおよび同期信号のリソース領域を示す図面である。
【０１１１】
具体的に図７には、２個の互いに異なるヌメロロジー（Ｎｕｍｅｒｏｌｏｇｙ１、Ｎｕｍｅｒｏｌｏｇｙ２）に方法Ｍ２０２が適用された場合が例示されている。図７では、ヌメロロジー２のための副搬送波間隔（２＊Ｋ）がヌメロロジー１のための副搬送波間隔（Ｋ）の２倍であることを仮定する。つまり、図７では、ヌメロロジー１のためのＯＦＤＭシンボル長さ（Ｌ）がヌメロロジー２のためのＯＦＤＭシンボル長さ（Ｌ／２）の２倍であることを仮定する。
【０１１２】
図７では、同期信号のリソース領域を構成するリソース要素の数は、ヌメロロジー１の場合に８個であり、ヌメロロジー２の場合に１２個であることを仮定する。
【０１１３】
方法Ｍ２０２によれば、同期信号のリソース領域は、ヌメロロジー１の場合に周波数軸として８個のリソース要素と時間軸として１個のリソース要素を含み、ヌメロロジー２の場合に周波数軸として４個のリソース要素と時間軸として３個のリソース要素を含む。この時、同期信号リソース領域の帯域幅であるＦＢＷ、１とＦＢＷ、２は同一である（つまり、ＦＢＷ、１＝ＦＢＷ、２＝Ｆ）。したがって、方法Ｍ２０２は、端末が初期セル探索過程で複数のヌメロロジーに同一のフィルタリングを適用することができるという長所を有する。また方法Ｍ２０２は、ヌメロロジーの副搬送波間隔に関係なしに同期信号を狭い帯域幅で伝送することができる。反面、方法Ｍ２０２は、同期信号リソース領域によりチャージされるＯＦＤＭシンボルの数がヌメロロジー毎に異なっていてもよく、これを考慮したシークエンス設計そしてこれを考慮した他の信号および他のチャネルとの共存設計が要求される。
【０１１４】
方法Ｍ２０２で同期信号リソース領域の帯域幅がヌメロロジーに関係なしに類似するということは、端末が複数のヌメロロジーに共通のフィルタリングを適用するに、前記帯域幅が十分に類似すること（例：数個以内の副搬送波差）を意味し得る。
【０１１５】
一方、方法Ｍ２０２で同期信号リソース領域の帯域幅だけでなく、時間区間の長さもヌメロロジーに関係なしに同一または類似するようにマッピングを行う方法が考慮され得る。これを、方法Ｍ２０３という。
【０１１６】
図８は、本発明の実施例による、方法Ｍ２０３に基づく同期信号のヌメロロジーおよび同期信号のリソース領域を示す図面である。
【０１１７】
具体的に図８では、図７の実施例と同様に、ヌメロロジー２のための副搬送波間隔（２＊Ｋ）がヌメロロジー１のための副搬送波間隔（Ｋ）の２倍であることを仮定する。つまり、図８では、ヌメロロジー１のためのＯＦＤＭシンボル長さ（Ｌ）がヌメロロジー２のためのＯＦＤＭシンボル長さ（Ｌ／２）の２倍であることを仮定する。
【０１１８】
図８では、同期信号リソース領域を構成するリソース要素の数がヌメロロジー１とヌメロロジー２の場合に共に８個であることを仮定する。
【０１１９】
方法Ｍ２０３によれば、同期信号のリソース領域は、ヌメロロジー１の場合に周波数軸として８個のリソース要素と時間軸として１個のリソース要素を含み、ヌメロロジー２の場合に周波数軸として４個のリソース要素と時間軸として２個のリソース要素を含む。つまり、ヌメロロジー１のための同期信号リソース領域によりチャージされる帯域幅（ＦＢＷ、１）とヌメロロジー２のための同期信号リソース領域によりチャージされる帯域幅（ＦＢＷ、２）が同一であり、ヌメロロジー１のための同期信号リソース領域によりチャージされる時間区間長さ（Ｔ）とヌメロロジー２のための同期信号リソース領域によりチャージされる時間区間長さ（Ｔ）が同一である。
【０１２０】
また、方法Ｍ２０２または方法Ｍ２０３において、複数のヌメロロジーに対して同期信号リソース領域の周波数帯域幅だけでなく、周波数リソース領域が同一であってもよい。例えば、同期信号はヌメロロジーに関係なしに、システム帯域幅中央のＦＢＷ、１ＨｚまたはＦＢＷ、２Ｈｚを占めることができる。
【０１２１】
方法Ｍ２１０は、同期信号に適用されるヌメロロジーが同期信号が属したキャリアのヌメロロジーに関係なしに固定的な方法である。
【０１２２】
図９は、本発明の実施例による、方法Ｍ２１０に基づく同期信号のヌメロロジーおよび同期信号のリソース領域を示す図面である。
【０１２３】
具体的に図９には、ヌメロロジー１が適用されたキャリアの同期信号とヌメロロジー２が適用されたキャリアの同期信号がすべてヌメロロジー１に従う場合が例示されている。例えば、ヌメロロジー１の場合に、同期信号のためのリソース領域は周波数軸として８個のリソース要素と時間軸として１個のリソース要素を含む。つまり、ヌメロロジー１のための同期信号リソース領域によりチャージされる帯域幅（Ｆ）と時間区間長さ（Ｔ）は、ヌメロロジー２のための同期信号リソース領域によりチャージされる帯域幅（Ｆ）と時間区間長さ（Ｔ）と同一である。
【０１２４】
図９では、ヌメロロジー２のための副搬送波間隔（２＊Ｋ）がヌメロロジー１のための副搬送波間隔（Ｋ）の２倍であることを仮定する。つまり、図９では、ヌメロロジー１のためのＯＦＤＭシンボル長さ（Ｌ）がヌメロロジー２のためのＯＦＤＭシンボル長さ（Ｌ／２）の２倍であることを仮定する。
【０１２５】
方法Ｍ２１０は、特定の周波数範囲内で適用され得る。
【０１２６】
方法Ｍ２１０は、同期信号のためのヌメロロジーを、特定の周波数範囲内で許容されたヌメロロジーのうちの一つで予め決めることができる。例えば、６ＧＨｚ以下の周波数帯域で同期信号は常時、１５ｋＨｚの副搬送波間隔を有するヌメロロジーに従って伝送され得る。
【０１２７】
方法Ｍ２１０によれば、端末は初期セル探索過程で単一のヌメロロジーを通じて同期信号を探索することができる。
【０１２８】
しかし、同期信号のヌメロロジーとキャリアのヌメロロジーが異なることもあり得るため、端末がキャリアに如何なるヌメロロジーが適用されたかを分かる別途の方法が必要である。端末は同期信号受信を通じて、キャリアのヌメロロジーを明示的または暗示的に獲得することができる。または、端末はキャリアのヌメロロジーを、端末が同期信号以降に受信する信号またはチャネル（例：ＰＢＣＨ）を通じて獲得することができる。この時、同期信号以降に端末が受信する信号またはチャネルは、同期信号のヌメロロジーと同一なヌメロロジーに従う。方法Ｍ２１０で、周波数軸として同期信号に隣接した信号およびチャネルのヌメロロジーは同期信号のヌメロロジーと異なっていてもよいため、同期信号の帯域幅両端に追加の保護帯域が挿入されなければならないこともある。
【０１２９】
次に、複数のヌメロロジーで構成されるキャリアの場合を考慮する。
【０１３０】
一つのキャリアで複数のヌメロロジーは、ＴＤＭ（ｔｉｍｅ  ｄｉｖｉｓｉｏｎ  ｍｕｌｔｉｐｌｅｘｉｎｇ）を通じて多重化されたり、図４の実施例のようにＦＤＭ（ｆｒｅｑｕｅｎｃｙ  ｄｉｖｉｓｉｏｎ  ｍｕｌｔｉｐｌｅｘｉｎｇ）を通じて多重化され得る。この時、複数のヌメロロジーが一つの同期信号を共有する方法（以下、「方法Ｍ２２０」）とヌメロロジー別に同期信号が伝送される方法（以下、「方法Ｍ２３０」）が用いられ得る。
【０１３１】
複数のヌメロロジーが一つの同期信号を共有する場合に、方法Ｍ２００と類似に、同期信号のヌメロロジーはキャリア内複数のヌメロロジーのうちの一つに従うことができる。これを、方法Ｍ２２１という。方法Ｍ２２１について図１０を参照して説明する。
【０１３２】
図１０は、本発明の実施例による、複数のヌメロロジーで構成されるキャリアに対する、同期信号のヌメロロジーおよび同期信号のリソース領域を示す図面である。
【０１３３】
図１０には２個のヌメロロジー（Ｎｕｍｅｒｏｌｏｇｙ１、Ｎｕｍｅｒｏｌｏｇｙ２）が一つのキャリアを構成する場合が例示されている。
【０１３４】
図１０では、ヌメロロジー２のための副搬送波間隔がヌメロロジー１のための副搬送波間隔よりも大きいと仮定する。つまり、図１０では、ヌメロロジー１のためのＯＦＤＭシンボル長さがヌメロロジー２のためのＯＦＤＭシンボル長さよりも大きいと仮定する。
【０１３５】
図１０に例示されたとおり、同期信号のヌメロロジー（例：Ｎｕｍｅｒｏｌｏｇｙ１）と同一なヌメロロジーが適用されるリソース領域内で同期信号リソース領域が定義され得る。図１０には、同期信号のためのリソース領域が周波数軸として６個のリソース要素と時間軸として１個のリソース要素を含む場合が例示されている。
【０１３６】
同期信号のヌメロロジーは、一つのキャリア内で基本（ｂａｓｅ）ヌメロロジーとして用いられ得る。つまり、当該キャリアに接続した端末は、ヌメロロジーを別に設定を受ける前まで、特定時間−周波数リソース領域内で基本ヌメロロジーを用いて信号を受信することができる。
【０１３７】
複数のヌメロロジーで構成されるキャリアに一つの同期信号だけが存在する場合に、同期信号はキャリア帯域幅の真ん中（例：中心周波数を基準に対称となるように）に定義され得る。この時、複数のヌメロロジーがＦＤＭを通じて多重化される場合に、端末は同期信号が占める中央帯域幅については同期信号のヌメロロジーと同一のヌメロロジーを少なくとも仮定することができる。
【０１３８】
同期信号のリソース領域構成方法として、前述した方法（例：方法Ｍ２０１、方法Ｍ２０２、方法Ｍ２０３など）が用いられ得る。
【０１３９】
一方、複数のヌメロロジーが一つの同期信号を共有する場合に、方法Ｍ２１０と類似に、同期信号のヌメロロジーは、キャリアのヌメロロジーに関係なしに予め決められたヌメロロジーに従うことができる。これを、方法Ｍ２２２という。
【０１４０】
一つのキャリア内でヌメロロジー別に同期信号が伝送される場合に、各同期信号のヌメロロジーは同期信号が定義されるリソース領域のヌメロロジーに従うことができる。これを、方法Ｍ２３１という。方法Ｍ２３１は一つのキャリア内に方法Ｍ２００が適用されたものとみることができる。
【０１４１】
この時、同期信号リソース領域の構成は、前述した方法（例：方法Ｍ２０１、方法Ｍ２０２、方法Ｍ２０３など）に従うことができる。
【０１４２】
方法Ｍ２３１とは異なり、一つのキャリア内ですべての同期信号のヌメロロジーが、キャリアを構成する複数のヌメロロジーのうちの一つに従うことができる。これを、方法Ｍ２３２という。
【０１４３】
または、一つのキャリア内ですべての同期信号のヌメロロジーがキャリアのヌメロロジーに関係なしに、予め決められたヌメロロジーに従うことができる。これを、方法Ｍ２３３という。
【０１４４】
複数のヌメロロジーで構成されるキャリアに前述した方法が適用される場合に、端末のケイパビリティ（ｃａｐａｂｉｌｉｔｙ）が考慮され得る。
【０１４５】
ＮＲ端末が基本的に複数のヌメロロジーを受信できる能力を有する場合に、方法Ｍ２２０が用いられ得る。ｅＭＢＢとＵＲＬＬＣを支援する端末がこれに該当し得る。この時、端末は同期信号受信とデータ受信のために、互いに異なるヌメロロジーを用いることができる。
【０１４６】
反面、複数のヌメロロジーを受信できる能力を有していない端末のために、方法Ｍ２３０が用いられ得る。ｍＭＴＣ伝送のための特定のヌメロロジーだけを支援する低費用端末がこれに該当し得る。この時、端末は同期信号受信とデータ受信のために、同一のヌメロロジーを用いる。
【０１４７】
一つのキャリア内で方法Ｍ２２０と方法Ｍ２３０が混合して用いられることもできる。
【０１４８】
前述した方法（例：方法Ｍ２００ないし方法Ｍ２３３）で同期信号の伝送時点および周期は、複数のヌメロロジーに対して同一であってもよい。
【０１４９】
一方、互いに異なるヌメロロジーを有する異種フレーム構造は、サブフレームの長さや サブフレーム番号の集合が互いに異なっていてもよいため、同期信号の伝送時点および周期は各フレーム構造別に互いに異なる数式で表現され得る。
【０１５０】
同期信号の伝送時点および周期が同一な場合に、端末の初期セル探索複雑度が減少することができる。
【０１５１】
一方、前述した方法において、同期信号のリソース領域に他の信号（または他のチャネル）がマッピングされ得る。つまり、同期信号リソース領域内で同期信号と同期信号以外の信号（またはチャネル）が共存することができる。例えば、同期信号が周波数軸で不連続的なリソース要素にマッピングされる場合に、同期信号がマッピングされないリソース要素は他の信号（または他のチャネル）の伝送のために用いられ得る。
【０１５２】
前述した同期信号は、端末の初期セル探索過程でセル（またはキャリア）の中心周波数を探索する用途で限定され得る。この場合に、セル（またはキャリア）のスタンドアロ−ン（ｓｔａｎｄａｌｏｎｅ）動作を支援しない周波数領域で、前記同期信号は存在しなくてもよい。または、セル（またはキャリア）がセカンダリーセルだけで動作する場合に、前記同期信号は存在しなくてもよい。
【０１５３】
一方、前述した同期信号は、中心周波数探索だけでなく、端末の同期獲得、同期追跡、および／またはセルＩＤ獲得のための用途でも用いられ得る。
【０１５４】
また前述した同期信号は、チャネル推定（またはデータ複号）のためのパイロットの用途でも用いられ得る。
【０１５５】
特に、同期信号が中心周波数探索だけでなく、他の用途でも用いられる場合に、同期信号は複数の同期信号で構成され得る。例えば、同期信号は第１同期信号と第２同期信号で構成され得る。同期信号が複数の同期信号で構成される場合に、前述した方法（例：方法Ｍ２００ないし方法Ｍ２１０）は一部の同期信号（例：第１同期信号）にだけ適用され得る。または、前述した方法（例：方法Ｍ２００ないし方法Ｍ２１０）は複数の同期信号（例：第１同期信号、第２同期信号）に適用され得る。この時、前述した方法（例：方法Ｍ２００ないし方法Ｍ２１０）のために定義される同期信号リソース領域は、前者の場合に一部の同期信号だけを含むことができ、後者の場合に複数の同期信号を含むことができる。
【０１５６】
［初期接続のための信号の構成］
ＮＲは、広い範囲の周波数を支援するため、高周波帯域の動作と低周波帯域の動作が互いに異なっていてもい。
【０１５７】
信号の経路損失が大きい高周波帯域には、送信ビームフォーミングおよび／または受信ビームフォーミングが適用され得る。セルまたは端末のカバレッジ拡張のために、データチャネルだけでなく、共通信号および制御チャネルにもビームフォーミングが適用され得る。この時、多数のアンテナを通じてビーム幅（ｂｅａｍｗｉｄｔｈ）が小さいビームが形成される場合に、セルまたはセクタの全体カバレッジをカバーするために、多数の互いに異なる方向指向性を有するビームを通じて信号が多数回送信または受信されなければならないこともある。ビームフォーミングが適用された信号が時間軸に互いに異なるリソースを通じて多数回伝送されることを、ビームスウィーピング（ｂｅａｍ  ｓｗｅｅｐｉｎｇ）という。
【０１５８】
反面、信号の経路損失が相対的に小さい低周波帯域では、共通信号および制御チャネルが１度だけ伝送されても、セルまたはセクタの全体カバレッジがカバーされ得る。
【０１５９】
ＮＲの初期接続手続は、前記異なるビーム動作をすべて支援可能でなければならない。
【０１６０】
以下、端末の初期接続のための信号のためのリソース構成および伝送方法について説明する。周波数帯域またはビーム動作に関係なしに共通で用いられ得る方法（ｂａｎｄ−ａｇｎｏｓｔｉｃ  ｏｒ  ｂｅａｍ  ｏｐｅｒａｔｉｏｎ−ａｇｎｏｓｔｉｃ  ｍｅｔｈｏｄ）について説明する。
【０１６１】
端末の初期接続のために、下りリンクディスカバリー信号（ｄｉｓｃｏｖｅｒｙ  ｓｉｇｎａｌ）と上りリンクＰＲＡＣＨが用いられ得る。
【０１６２】
まず、下りリンクディスカバリー信号について説明する。
【０１６３】
ディスカバリー信号は、端末のセル探索、システム情報獲得、そしてビーム獲得および追跡などのための下りリンク信号であり、端末に周期的に伝送され得る。ディスカバリー信号オケージョン（ｏｃｃａｓｉｏｎ）が定義され得る。
【０１６４】
図１１は、本発明の実施例による、ディスカバリー信号の構成要素を示す図面である。
【０１６５】
ディスカバリー信号オケージョンは、図１１の（ａ）に例示されたとおり、同期信号とＰＢＣＨで構成され得る。
【０１６６】
同期信号は、時間−周波数同期化、そしてセルＩＤ獲得などのために利用され、ＰＢＣＨは初期接続に必須のシステム情報（ＳＩ：ｓｙｓｔｅｍ  ｉｎｆｏｒｍａｔｉｏｎ）を伝送することに用いられ得る。初期接続を支援しないセル（または基地局）はＰＢＣＨを伝送しなくてもよい。つまり、ディスカバリー信号オケージョンはＰＢＣＨを含めなくてもよい。
【０１６７】
同期信号は、複数の同期信号で構成され得る。例えば、同期信号は、プライマリ同期信号（ＰＳＳ）とセカンダリー同期信号（ＳＳＳ）で構成され得る。
【０１６８】
または、ディスカバリー信号オケージョンは、図１１の（ｂ）または図１１の（ｃ）に例示されたとおり、同期信号、ＰＢＣＨ、そしてビーム参照信号（ＢＲＳ：ｂｅａｍ  ｒｅｆｅｒｅｎｃｅ  ｓｉｇｎａｌ）で構成され得る。
【０１６９】
ＢＲＳは、ビームまたはビームＩＤ獲得、ＲＲＭ（ｒａｄｉｏ  ｒｅｓｏｕｒｃｅ  ｍａｎａｇｅｍｅｎｔ）測定、および／またはＰＢＣＨ複号のためのチャネル推定などに用いられ得る。ＰＢＣＨとＢＲＳ間にはＴＤＭが適用されることもできる。または、より高いＰＢＣＨ複号性能のために、図１１の（ｃ）に例示されたとおり、ＰＢＣＨとＢＲＳが共通領域内で共存することもできる。
【０１７０】
または、ディスカバリー信号オケージョンは、ＣＳＩ（ｃｈａｎｎｅｌ  ｓｔａｔｅ  ｉｎｆｏｒｍａｔｉｏｎ）測定および報告のための参照信号、つまり、ＣＳＩ−ＲＳ（ｒｅｆｅｒｅｎｃｅ  ｓｉｇｎａｌ）を含むことができる。または、ディスカバリー信号オケージョンは、ビーム追跡（ｔｒａｃｋｉｎｇ）のための別途の参照信号を含むことができる。前記ＣＳＩ−ＲＳおよび／またはビーム追跡参照信号は端末特定的（ＵＥ−ｓｐｅｃｉｆｉｃ）に設定され得る。
【０１７１】
ディスカバリー信号オケージョンが端末の初期セル探索のために用いられる場合に、ディスカバリー信号オケージョンの伝送周期およびオフセットは予め定義された固定値であってもよい。
【０１７２】
一つのディスカバリー信号オケージョン周期内で同期信号、ＰＢＣＨ、および／またはＢＲＳのそれぞれに対して、Ｍ個の時間−周波数リソースが存在することを仮定する。ここで、Ｍは自然数である。つまり、ディスカバリー信号オケージョンに含まれる要素信号は、それぞれＭ個のリソースを用いることができる。各要素信号のためのＭ個のリソースは、同一の帯域幅と同一の時間軸長さ（例：ＯＦＤＭシンボルの数）を有する。
【０１７３】
Ｍ＞１である場合、複数のリソースを通じて同期信号、ＰＢＣＨ、および／またはＢＲＳのそれぞれにビームスウィーピングが適用され得る。Ｍ＝１である場合、単一のビームが伝送されたり、複数のビームが同一のリソース上でＳＤＭ（ｓｐａｔｉａｌ  ｄｉｖｉｓｉｏｎ  ｍｕｌｔｉｐｌｅｘｉｎｇ）を通じて伝送され得る。
【０１７４】
ディスカバリー信号オケージョンは、複数の信号ブロックで構成され得る。一つの信号ブロックによりチャージされるリソースは、時間−周波数軸で連続的である。つまり、一つの信号ブロックによりチャージされるリソースは、時間軸に連続的な時間ドメインシンボルを含むことができる。この時、信号ブロックを構成する要素信号によって、方法Ｍ３００と方法Ｍ３１０が考慮され得る。
【０１７５】
方法Ｍ３００は、ディスカバリー信号オケージョンが異種の信号ブロックで構成される方法である。つまり、ディスカバリー信号オケージョンは、同期信号ブロック（ら）とＰＢＣＨブロックで構成され得る。この時、ＢＲＳがＰＢＣＨの複号のために存在する場合に、ＢＲＳはＰＢＣＨブロックに含まれ得る。
【０１７６】
図１２は、本発明の実施例による、方法Ｍ３００に基づくディスカバリー信号オケージョンのリソース構成を示す図面である。
【０１７７】
具体的に図１２には、ディスカバリー信号オケージョンが３個の異種信号ブロック（第１信号ブロック、第２信号ブロック、第３信号ブロック）で構成される場合が例示されている。
【０１７８】
第１信号ブロックはＰＳＳブロックであり、ＴＤＭを通じて区分されるＭ個のＰＳＳリソースを含む。第２信号ブロックはＳＳＳブロックであり、ＴＤＭを通じて区分されるＭ個のＳＳＳリソースを含む。第３信号ブロックはＰＢＣＨブロックであり、ＴＤＭを通じて区分されるＭ個のＰＢＣＨリソースおよび／またはＭ個のＢＲＳリソースを含む。
【０１７９】
他の例として、ディスカバリー信号オケージョンが２個の異種信号ブロック（第１信号ブロック、第２信号ブロック）で構成され得る。第１信号ブロックはＰＳＳおよびＳＳＳブロックであり、ＴＤＭを通じて区分されるＭ個のＰＳＳリソースとＭ個のＳＳＳリソースを含む。第２信号ブロックはＰＢＣＨブロックであり、ＴＤＭを通じて区分されるＭ個のＰＢＣＨリソースおよび／またはＭ個のＢＲＳリソースを含む。この時、第１信号ブロック内でＰＳＳリソースとＳＳＳリソースは、｛ＰＳＳ＃０、ＳＳＳ＃０、ＰＳＳ＃１、ＳＳＳ＃１、…、ＰＳＳ＃（Ｍ−１）、ＳＳＳ＃（Ｍ−１）｝の順に時間軸で交差配列され得る。
【０１８０】
方法Ｍ３１０は、ディスカバリー信号オケージョンが同種の信号ブロック（ら）、つまり、ディスカバリー信号ブロック（ら）で構成される方法である。方法Ｍ３１０について、図１３を参照して説明する。
【０１８１】
図１３は、本発明の実施例による、方法Ｍ３１０に基づくディスカバリー信号オケージョンのリソース構成を示す図面である。図１３ないし図１８において、ＤＳはディスカバリー信号を意味する。
【０１８２】
ディスカバリー信号オケージョンは、Ｍ個のディスカバリー信号ブロック（ら）で構成され、一つのディスカバリー信号ブロックは一つの同期信号リソース、一つのＰＢＣＨリソース、および／または一つのＢＲＳリソースを含む。
【０１８３】
図１３には、同期信号がＰＳＳとＳＳＳで構成され、各ディスカバリー信号ブロック内でＰＳＳリソース、ＳＳＳリソース、およびＰＢＣＨリソース間にＴＤＭが適用される場合が例示されている。一つのディスカバリー信号ブロックに含まれる一つの同期信号リソースはＰＳＳリソースとＳＳＳリソースに区分される。
【０１８４】
端末がＰＳＳを先に受信し、ＳＳＳをその次に受信する場合に、一つのディスカバリー信号ブロック内でＰＳＳがＳＳＳよりも時間的に先に伝送されることが有利である。
【０１８５】
一方、方法Ｍ３００と方法Ｍ３１０において、信号ブロックの間にはＴＤＭおよび／またはＦＤＭが適用される。
【０１８６】
図１４は、本発明の実施例による、方法Ｍ３００または方法Ｍ３１０において信号ブロックの間にＴＤＭが適用される場合を示す図面である。
【０１８７】
ディスカバリー信号オケージョンが一つのサブバンドだけを占める場合に、信号ブロックの間にはＴＤＭが適用され得る。このような場合が、図１４の（ａ）、図１４の（ｂ）、そして図１４の（ｃ）に例示されている。ディスカバリー信号オケージョンが複数のサブバンドを占める場合に信号ブロックの間にはＴＤＭとＦＤＭがすべて適用され得る。
【０１８８】
図１４の（ａ）および図１４の（ｂ）は、方法Ｍ３００の実施例を示し、図１４の（ｃ）は方法Ｍ３１０の実施例を示す。
【０１８９】
図１４の（ａ）において、ＰＳＳブロック（Ｍ個のＰＳＳリソースを含む）とＳＳＳブロック（Ｍ個のＳＳＳリソースを含む）間の時間距離はＴＢ、０であり、ＳＳＳブロックとＰＢＣＨブロック（Ｍ個のＰＢＣＨリソースおよび／またはＭ個のＢＲＳリソースを含む）間の時間距離はＴＢ、１である。
【０１９０】
図１４の（ｂ）において、ＰＳＳ／ＳＳＳブロック（Ｍ個のＰＳＳリソースとＭ個のＳＳＳリソースを含む）とＰＢＣＨブロック（Ｍ個のＰＢＣＨリソースおよび／またはＭ個のＢＲＳリソースを含む）間の時間距離はＴＢである。
【０１９１】
図１４の（ｃ）において、Ｍ個のディスカバリー信号ブロック間の時間距離はＴＳ、０、ＴＳ、１、…、ＴＳ、（Ｍ−２）である。各ディスカバリー信号ブロックは、一つの同期信号リソース（ＰＳＳリソース、ＳＳＳリソース）、一つのＰＢＣＨリソース、および／または一つのＢＲＳリソースを含む。
【０１９２】
一つのディスカバリー信号オケージョンによりチャージされるサブバンドの帯域幅（ら）は、すべて同一であってもよい。このような帯域幅を、セル探索帯域幅（ｃｅｌｌ  ｓｅａｒｃｈ  ｂａｎｄｗｉｄｔｈ）という。
【０１９３】
同期信号の帯域幅両端に保護帯域が挿入される場合に、保護帯域を含む同期信号帯域幅はＰＢＣＨ帯域幅と同一であってもよい。
【０１９４】
方法Ｍ３１０は、方法Ｍ３００に比べていくつかの長所を有する。
【０１９５】
第一に、一つのディスカバリー信号ブロック内ではチャネル変化が相対的に少ないため、ＰＳＳ／ＳＳＳのアンテナポートとＰＢＣＨのアンテナポートが同一な場合に、ＰＢＣＨの複号またはＢＲＳ基盤ＲＲＭ測定にＰＳＳ／ＳＳＳが役立つことができる。
【０１９６】
第二に、方法Ｍ３００はＭ＞１である場合に、信号ブロック別にビームスウィーピングを行わなければならないため、速いビームフォーミング変更が要求される。しかし、方法Ｍ３１０は、ディスカバリー信号ブロック間にだけビームフォーミングを変更し、ディスカバリー信号ブロック内には同一または類似のビームを適用することができるため、ビームフォーミング変更がより少し頻繁に発生することができる。
【０１９７】
最後に、方法Ｍ３００によれば、ｍ番目ＰＳＳリソース、ｍ番目ＳＳＳリソース、およびｍ番目ＰＢＣＨリソース間の相対的距離（例：時間軸距離および周波数軸距離）は、ビームフォーミングモード、つまり、Ｍ値により変わり得る。ここで、ｍはリソースインデックスであり、０以上（Ｍ−１）以下の整数である。したがって、端末がＰＳＳを受信した後、ＳＳＳやＰＢＣＨを受信するために基地局からＳＳＳやＰＢＣＨのリソース位置情報の伝達を受けなければならないこともある。例えば、端末はＳＳＳやＰＢＣＨのリソース位置を分かるために、ＰＳＳ受信を通じてＭ値を獲得しなければならないこともある。
【０１９８】
反面、方法Ｍ３１０によれば、ｍ番目ＰＳＳリソース、ｍ番目ＳＳＳリソース、およびｍ番目ＰＢＣＨリソース間の相対的距離（例：時間軸距離および周波数軸距離）がＭ値に関係なしに一定である。本明細書において、リソース間の周波数軸距離は前記リソースによりチャージされる周波数領域間の相対的距離を意味する。これは、前記周波数領域が周波数軸で互いにオーバーラップされる場合にも適用され得る。例えば、基地局により生成されたｍ番目ディスカバリー信号ブロックに含まれるＰＳＳ（またはＰＳＳリソース）とＳＳＳ（またはＳＳＳリソース）間の時間および周波数距離は、基地局により生成された（ｍ＋１）番目ディスカバリー信号ブロックに含まれるＰＳＳ（またはＰＳＳリソース）とＳＳＳ（またはＳＳＳリソース）間の時間および周波数距離と同一である。つまり、ｍ番目ディスカバリー信号ブロックに含まれるＰＳＳリソースとＳＳＳリソース間の時間軸距離は（ｍ＋１）番目ディスカバリー信号ブロックに含まれるＰＳＳリソースとＳＳＳリソース間の時間軸距離と同一であり、ｍ番目ディスカバリー信号ブロックに含まれるＰＳＳリソースとＳＳＳリソース間の周波数軸距離は（ｍ＋１）番目ディスカバリー信号ブロックに含まれるＰＳＳリソースとＳＳＳリソース間の周波数軸距離と同一である。同様に、ｍ番目ディスカバリー信号ブロックに含まれるＳＳＳ（またはＳＳＳリソース）とＰＢＣＨ（またはＰＢＣＨリソース）間の時間および周波数距離は、（ｍ＋１）番目ディスカバリー信号ブロックに含まれるＳＳＳ（またはＳＳＳリソース）とＰＢＣＨ（またはＰＢＣＨリソース）間の時間および周波数距離と同一である。同様に、ｍ番目ディスカバリー信号ブロックに含まれるＰＳＳ（またはＰＳＳリソース）とＰＢＣＨ（またはＰＢＣＨリソース）間の時間および周波数距離は、（ｍ＋１）番目ディスカバリー信号ブロックに含まれるＰＳＳ（またはＰＳＳリソース）とＰＢＣＨ（またはＰＢＣＨリソース）間の時間および周波数距離と同一である。
【０１９９】
したがって、端末はＰＳＳを検出した後、ＰＳＳが検出されたＰＳＳリソース（例：ｍ番目ＰＳＳリソース）を含むディスカバリー信号ブロック（例：ｍ番目ディスカバリー信号ブロック）内の決められた位置でＳＳＳやＰＢＣＨを受信することができる。つまり、端末はディスカバリー信号オケージョンを構成するすべての信号ブロックのリソースを分かる必要がなく、端末はＰＳＳが検出されたＰＳＳリソースを含む一つのディスカバリー信号ブロックが伝送されることを仮定することで十分である。したがって、方法Ｍ３１０によれば、端末は初期セル探索のためのディスカバリー信号受信過程で、ビームフォーミングモード、つまり、Ｍ値を分かる必要がない。
【０２００】
一方、端末はディスカバリー信号オケージョンを受信するために、ディスカバリー信号測定ウィンドウ（ＤＭＷ：ｄｉｓｃｏｖｅｒｙ  ｓｉｇｎａｌ  ｍｅａｓｕｒｅｍｅｎｔ  ｗｉｎｄｏｗ）を仮定（または判断）することができる。
【０２０１】
図１５は、本発明の実施例による、ディスカバリー信号測定ウィンドウ内でディスカバリー信号オケージョンが伝送される場合を示す図面である。
【０２０２】
図１５では、Ｍ個のディスカバリー信号ブロック間にＴＤＭが適用されることを仮定する。
【０２０３】
端末は、ディスカバリー信号測定ウィンドウ内でディスカバリー信号をモニタリングし、発見し、そして測定することができる。
【０２０４】
ディスカバリー信号オケージョンのリソース構成に方法Ｍ３１０が適用され、要素信号としてＰＳＳ、ＳＳＳ、およびＰＢＣＨがディスカバリー信号オケージョンに含まれる場合に、端末はディスカバリー信号測定ウィンドウ内でＰＳＳをモニタリングすることができる。
【０２０５】
この時、端末は同一のセルから伝送されたＰＳＳビームを、一つまたは多数個発見することができる。端末がディスカバリー信号測定ウィンドウ内で一つ以上のディスカバリー信号ブロック（ら）に対応する一つ以上のＰＳＳ（ｓ）を発見する場合に、一つ以上のＰＳＳ（ｓ）のうちの一つを選択することができる。
【０２０６】
発見された一つ以上のＰＳＳビーム（ら）の中で一つを選択するために、端末はディスカバリー信号測定ウィンドウの全時間区間をモニタリングした後、発見されたＰＳＳビーム（ら）の中の受信性能が最もよいＰＳＳビーム（またはＰＳＳビームに該当するＰＳＳリソース）を選択する方法（以下、「第１選択方法」）が用いられ得る。または、発見された一つ以上のＰＳＳビーム（ら）の中で一つを選択するために、端末は予め決められた受信性能条件を満たす一つのＰＳＳビーム（またはＰＳＳビームに該当するＰＳＳリソース）を探す時までモニタリングを行う方法（以下、「第２選択方法」）が用いられ得る。第１選択方法は、第２選択方法に比べてより高い受信性能を提供するが、端末のディスカバリー信号受信の複雑度を増加させることがある。
【０２０７】
そして、端末は第１選択方法または第２選択方法により選択したＰＳＳ（例：最もよい受信性能を有するか、または予め定義された受信性能条件を満たすＰＳＳ）に対応するディスカバリー信号ブロック（例：ｍ番目ディスカバリー信号ブロック）内の決められた位置で、ＳＳＳやＰＢＣＨをモニタリングすることができる。
【０２０８】
一方、図１５には、一つのＤＭＷ周期（ｐｅｒｉｏｄｉｃｉｔｙ）内でディスカバリー信号測定ウィンドウが時間−周波数軸で連続的に設定された場合が例示されている。
【０２０９】
反面、ディスカバリー信号測定ウィンドウは、時間または周波数軸で不連続的であってもよい。つまり、一つのディスカバリー信号測定ウィンドウ周期内で時間軸または周波数軸に複数のリソースブロックがディスカバリー信号測定ウィンドウを構成することができる。この時、各リソースブロックは、時間軸および周波数軸で連続的なリソースの集合を意味し、リソースブロックは時間軸および／または周波数軸で不連続的であってもよい。
【０２１０】
ＲＲＣ（ｒａｄｉｏ  ｒｅｓｏｕｒｃｅ  ｃｏｎｔｒｏｌ）連結されていない端末は、ディスカバリー信号測定ウィンドウ情報（例：ＤＭＷ長さおよびＤＭＷ周期）を予め決められた値と仮定することができる。つまり、基地局にＲＲＣ連結されていない端末は、予め定義された長さ値と周期値に基づき、ディスカバリー信号測定ウィンドウのための長さ（ｄｕｒａｔｉｏｎ）および周期を決定することができる。例えば、初期接続を試みる端末のためのディスカバリー信号測定ウィンドウ周期は、ＬＴＥと同様に５ｍｓに定義され、前記端末のためのディスカバリー信号測定ウィンドウ長さは５ｍｓ以下の固定値に定義され得る。ディスカバリー信号測定ウィンドウの長さと周期が一致する場合に、ＲＲＣ連結されていない端末は、時間ドメイン全範囲でディスカバリー信号をモニタリングすることができる。
【０２１１】
一方、ＲＲＣ連結された端末（あるいはＲＲＣ連結されなかったが、基地局からシステム情報を受信できる状態にある端末）は、ディスカバリー信号測定ウィンドウ情報（例：ＤＭＷ長さおよびＤＭＷ周期）を基地局から設定を受けることができる。この時、端末の受信複雑度を低めるために、ディスカバリー信号測定ウィンドウ周期は、ＲＲＣ連結されていない端末により仮定される値よりも長く設定され得、ディスカバリー信号測定ウィンドウ長さは、ＲＲＣ連結されていない端末により仮定される値よりも短く設定され得る。例えば、ディスカバリー信号測定ウィンドウの周期および長さは、それぞれ、４０ｍｓおよび２ｍｓに設定され得る。つまり、基地局は基地局にＲＲＣ連結されている端末のためのＤＭＷ周期を、基地局にＲＲＣ連結されていない端末のために予め定義された周期値よりも大きい値に設定することができる。そして、基地局は基地局にＲＲＣ連結されている端末のためのＤＭＷ長さを、基地局にＲＲＣ連結されていない端末のために予め定義された長さ値よりも小さい値に設定することができる。
【０２１２】
ＲＲＣ連結された端末は、ディスカバリー信号測定ウィンドウ情報（例：ＤＭＷ長さおよびＤＭＷ周期）を基地局から設定を受けていない場合に、ディスカバリー信号測定を行わなくてもよい。つまり、ディスカバリー信号測定ウィンドウ情報（例：ＤＭＷ長さおよびＤＭＷ周期）は、端末のディスカバリー信号測定が必要な場合にだけ、端末に設定され得る。または、前記場合に、ＲＲＣ連結された端末は、ＲＲＣ連結されていない端末により仮定される値と同一の値でディスカバリー信号測定ウィンドウ情報（例：ＤＭＷ長さおよびＤＭＷ周期）を仮定することができる。
【０２１３】
ディスカバリー信号測定ウィンドウ情報（例：ＤＭＷ長さおよびＤＭＷ周期）は、端末特定的（ＵＥ−ｓｐｅｃｉｆｉｃ）にシグナリングされ得る。
【０２１４】
図１５には、ディスカバリー信号測定ウィンドウ内で、ディスカバリー信号オケージョンを構成する信号全部（例：Ｍ個のディスカバリー信号ブロック）が基地局により伝送される場合が例示されている。反面、端末特定的なディスカバリー信号測定ウィンドウ内で、ディスカバリー信号オケージョンを構成する信号の一部（例：一つまたは複数のディスカバリー信号ブロック）だけが伝送され得る。または、ディスカバリー信号測定ウィンドウ内で、ディスカバリー信号オケージョンを構成する如何なる信号も伝送されないことがある。
【０２１５】
一方、ディスカバリー信号オケージョンが伝送されるためのリソースプール（ｒｅｓｏｕｒｃｅ  ｐｏｏｌ）（以下、「ディスカバリー信号リソースプール」）が定義され得る。つまり、ディスカバリー信号オケージョンは、予め定義されたディスカバリー信号リソースプール内で伝送され得る。この場合に、ディスカバリー信号オケージョンの周期が別に定義されず、その代わりに前記ディスカバリー信号リソースプールの周期が定義され得る。
【０２１６】
基地局は、ディスカバリー信号の伝送のために予め定義されたディスカバリー信号リソースプールに属するリソースの中で一部または全部を、少なくとも一つのディスカバリー信号ブロックに割り当てることができる。図１５には、基地局がディスカバリー信号リソースプールに属するリソースの中の一部を、ディスカバリー信号オケージョンを構成するＭ個のディスカバリー信号ブロックに割り当てる場合が例示されている。
【０２１７】
図１５には、ディスカバリー信号リソースプールの領域がディスカバリー信号測定ウィンドウの領域と一致する場合が例示されている。しかし、ディスカバリー信号リソースプールの領域とディスカバリー信号測定ウィンドウの領域は一致しないこともある。
【０２１８】
以下、ディスカバリー信号とＰＲＡＣＨ間の関係について説明する。
【０２１９】
ＮＲシステムにおいて、ＰＲＡＣＨはＬＴＥと同様に、端末のランダムアクセスまたは基地局の端末発見のために用いられ得る。
【０２２０】
端末は、ＰＲＡＣＨを通じて、プリアンブル（ｐｒｅａｍｂｌｅ）またはインコーディングされた信号を送信することができる。具体的に、方法Ｍ３１０が用いられる場合のためのＰＲＡＣＨリソース構成方法に関連した動作について説明する。そのために、ＰＲＡＣＨオケージョンが定義され得る。
【０２２１】
方法Ｍ３１０においてディスカバリー信号オケージョンがＭ個のディスカバリー信号ブロックで構成されることと同様に、ＰＲＡＣＨオケージョンも基地局の受信ビームフォーミングのために一つのＰＲＡＣＨオケージョン周期内でＭ個のＰＲＡＣＨブロック（またはＰＲＡＣＨリソース）（ただし、ｍ＝０、１、…、Ｍ−１）で構成され得る。一つのＰＲＡＣＨブロックによりチャージされるリソースは時間−周波数軸で連続的である。
【０２２２】
図１６は、本発明の実施例による、方法Ｍ３１０に基づくディスカバリー信号とＰＲＡＣＨリソース構成を示す図面である。
【０２２３】
具体的に図１６には、ＰＲＡＣＨオケージョンのリソース構成の実施例として、Ｍ個のディスカバリー信号ブロックと基地局のＰＲＡＣＨ受信のためのＭ個のＰＲＡＣＨブロックが一つのセル探索帯域幅内に存在する場合が例示されている。
【０２２４】
図１６で、ＴＳ、ｍ（例：ＴＳ、０、ＴＳ、１、…、ＴＳ、（Ｍ−２））は、ｍ番目ディスカバリー信号ブロックおよび（ｍ＋１）番目ディスカバリー信号ブロック間の時間軸距離を示し、ＴＲ、ｍ（例：ＴＲ、０、ＴＲ、１、…、ＴＲ、（Ｍ−２））はｍ番目ＰＲＡＣＨブロックおよび（ｍ＋１）番目ＰＲＡＣＨブロック間の時間軸距離を示し、ＴＧ、ｍ（例：ＴＧ、０、ＴＧ、１、…、ＴＧ、（Ｍ−１））はｍ番目ディスカバリー信号ブロックとｍ番目ＰＲＡＣＨブロック間の時間軸距離を示す。ただし、図１６の実施例は、単に一つの例示に過ぎず、信号ブロックが互いに異なる周波数リソースにマッピングされる場合も考慮され得る。
【０２２５】
基地局は、Ｍ個のＰＲＡＣＨブロックのすべてで、ＰＲＡＣＨ受信を試みる。この時、基地局は、Ｍ個のディスカバリー信号ブロックの中のｍ番目ディスカバリー信号ブロックのための送信ビームを基盤とし、Ｍ個のＰＲＡＣＨブロックの中のｍ番目ＰＲＡＣＨブロックのための受信ビームを導出することができる。ＴＤＤのように上りリンクチャネルおよび下りリンクチャネル間の可逆性（ｒｅｃｉｐｒｏｃｉｔｙ）が成立する場合に、送信ビームと受信ビームは同じでも類似していてもよい。
【０２２６】
端末は、ｍ番目ディスカバリー信号ブロックで同期信号および／またはＢＲＳ検出に成功した場合に、ｍ番目ＰＲＡＣＨブロックでプリアンブルを伝送する。このような端末動作を、方法Ｍ３１１という。もし端末もビームフォーミングを行うとすれば、基地局と類似に、ｍ番目ディスカバリー信号ブロックの受信ビームを基盤としてｍ番目ＰＲＡＣＨブロックの送信ビームを導出することができる。方法Ｍ３１０と方法Ｍ３１１によれば、端末はＭ個のＰＲＡＣＨブロックの中でｍ番目ＰＲＡＣＨブロックのリソース位置だけを分かればよい。
【０２２７】
ｍ番目ＰＲＡＣＨブロックのリソース位置は、ｍ番目ディスカバリー信号ブロックのリソースからの時間オフセットおよび周波数オフセットで表現され得る。図１６の実施例で周波数オフセットは０であるため、ｍ番目ＰＲＡＣＨブロックのリソース位置は時間オフセットＴＧ、ｍだけで表現され得る。
【０２２８】
この時、時間オフセット｛ＴＧ、ｍ｝すべてのｍ（ただし、ｍ＝０、１、…、Ｍ−１）に対して同一の値ＴＧを有するように定義され得る。これを、方法Ｍ３２０という。反面、時間オフセット｛ＴＧ、ｍ｝がｍにより互いに異なる値を有することが許容され得る。これを、方法Ｍ３２１という。
【０２２９】
方法Ｍ３２０の場合に、ＴＧ値は規格に予め定義されることもでき、ディスカバリー信号により端末に伝送されることもできる。方法Ｍ３２１の場合に、ＴＧ、ｍ値はｍ番目ディスカバリー信号ブロックにより端末に伝送され得る。方法Ｍ３２１は、ＰＲＡＣＨブロックのリソース設定情報を端末に知らせなければならない負担を有するが、方法Ｍ３２０に比べてリソース設定の高い自由度（ｆｌｅｘｉｂｉｌｉｔｙ）を有する。
【０２３０】
ＰＲＡＣＨブロックとディスカバリー信号ブロック間に周波数オフセットが存在する場合に、周波数オフセットにも前述した方法が類似に適用され得る。
【０２３１】
一方、｛ＴＳ、ｍ｝と｛ＴＲ、ｍ｝は規格に予め定義され得る。これを、方法Ｍ３３０という。例えば、ＴＳ、０＝ＴＳ、１＝…＝ＴＳ、（Ｍ−２）＝ＴＳであり、ＴＲ、０＝ＴＲ、１＝…＝ＴＲ、（Ｍ−２）＝ＴＲであり、（ＴＳ、ＴＲ）は固定値を有することができる。ＴＳおよびＴＲ値が小さいほど、ビームスウィーピングに要する時間は減ることができる。つまり、ｍ番目ディスカバリー信号ブロックと（ｍ＋１）番目ディスカバリー信号ブロック間の時間距離は、予め定義されたＴＳ値に基づいて決定され、ｍ番目ＰＲＡＣＨブロックおよび（ｍ＋１）番目ＰＲＡＣＨブロック間の時間距離は予め定義されたＴＲ値に基づいて決定される。
【０２３２】
図１７は、本発明の実施例による、方法Ｍ３２０と方法Ｍ３３０に基づくディスカバリー信号とＰＲＡＣＨリソース構成を示す図面である。
【０２３３】
図１７には、方法Ｍ３３０の実施例として、（ＴＳ、ＴＲ）＝（０、０）である場合が例示されている。つまり、ｍ番目ディスカバリー信号ブロックおよび（ｍ＋１）番目ディスカバリー信号ブロック間の時間軸距離が０であり、ｍ番目ＰＲＡＣＨブロックおよび（ｍ＋１）番目ＰＲＡＣＨブロック間の時間軸距離が０である。
【０２３４】
また図１７には方法Ｍ３２０の実施例として、ディスカバリー信号ブロックとＰＲＡＣＨブロック間の時間オフセット｛ＴＧ、ｍ｝がすべて同一な場合が例示されている。つまり、ｍ番目ディスカバリー信号ブロックとｍ番目ＰＲＡＣＨブロック間の時間軸距離がＴＧである。
【０２３５】
そのために、各ディスカバリー信号ブロックの時間リソース長さと各ＰＲＡＣＨブロックの時間リソース長さがＴＢに同一なように設計され得る。
【０２３６】
反面、｛ＴＳ、ｍ｝と｛ＴＲ、ｍ｝が規格に定義されず、基地局が｛ＴＳ、ｍ｝と｛ＴＲ、ｍ｝値を任意に決めることができる。これを、方法Ｍ３３１という。例えば、基地局はｍ番目ディスカバリー信号ブロックおよび（ｍ＋１）番目ディスカバリー信号ブロック間の時間距離を、トラフィック状況に基づいて決定することができる。これによって、基地局はＤＬ区間とＵＬ区間を動的に調整することができる。また基地局は、ｍ番目ＰＲＡＣＨブロックおよび（ｍ＋１）番目ＰＲＡＣＨブロック間の時間距離を任意に決定することができる。方法Ｍ３３１において、ｍ番目ディスカバリー信号ブロックおよび（ｍ＋１）番目ディスカバリー信号ブロック間の時間距離は、一般に整数個のＯＦＤＭシンボル長さとして表現され得る。または、ディスカバリー信号ブロックを構成するＯＦＤＭシンボルの数をＮＤＳと仮定すれば、ｍ番目ディスカバリー信号ブロックおよび（ｍ＋１）番目ディスカバリー信号ブロック間の時間距離はＮＤＳの整数倍であってもよい。
【０２３７】
図１８は、本発明の実施例による、方法Ｍ３２１と方法Ｍ３３１に基づくディスカバリー信号とＰＲＡＣＨリソース構成を示す図面である。
【０２３８】
具体的に図１８には、Ｍ＝４である場合が例示されている。つまり、４個のディスカバリー信号ブロックと４個のＰＲＡＣＨブロックが一つのセル探索帯域幅内に存在する。
【０２３９】
図１８には、方法Ｍ３３１の実施例として、｛ＴＳ、ｍ｝はｍによりすべて異なる値を有し、｛ＴＲ、ｍ｝はすべてのｍに対して０である場合が例示されている。つまり、ｍ番目ディスカバリー信号ブロックおよび（ｍ＋１）番目ディスカバリー信号ブロック間の時間軸距離はｍにより異なる値を有する。ｍ番目ＰＲＡＣＨブロックおよび（ｍ＋１）番目ＰＲＡＣＨブロック間の時間軸距離はｍに関係なしに０である。
【０２４０】
また図１８には、方法Ｍ３２１の実施例として、｛ＴＧ、ｍ｝がｍにより互いに異なる値を有することができる場合が例示されている。つまり、ｍ番目ディスカバリー信号ブロックとｍ番目ＰＲＡＣＨブロック間の時間軸距離はｍにより異なる値を有する。
【０２４１】
方法Ｍ３３１によれば、基地局がディスカバリー信号ブロックのリソース設定とＰＲＡＣＨブロックのリソース設定にある程度自由度を有することによって、全体リソースを柔軟に運営することができる。例えば、図１８に例示されたとおり、下りリンク伝送と上りリンク伝送がサブフレーム単位に速く交差されなければならないトラフィック状況（例：ＤＬサブフレーム→ＵＬサブフレーム→特別サブフレーム→特別サブフレーム→ＵＬサブフレーム）の場合に、基地局はディスカバリー信号ブロックとＰＲＡＣＨブロックを一つの周期内で適切な位置に分散させて割り当てることによって、リソースを効率的に管理することができる。
【０２４２】
また方法Ｍ３３１は、前方互換性（ｆｏｒｗａｒｄ  ｃｏｍｐａｔｉｂｉｌｉｔｙ）の観点でも方法Ｍ３３０よりも有利である。｛ＴＧ、ｍ｝、｛ＴＳ、ｍ｝、および／または｛ＴＲ、ｍ｝は、ディスカバリー信号オケージョンのすべての周期に対して固定値を有することもでき、周期毎に異なる値を有することもできる。ディスカバリー信号オケージョンの周期毎にリソースの位置が変わる場合に、端末のＲＲＭ測定の正確度が落ちることがある。したがって、基地局が前記パラメータ（例：ＴＧ、ｍ、ＴＳ、ｍ、ＴＲ、ｍなど）を任意に決定する場合でも、基地局が周期別にリソース位置を変更することは制限されることもできる。例えば、前記パラメータ（例：ＴＧ、ｍ、ＴＳ、ｍ、ＴＲ、ｍなど）はディスカバリー信号オケージョンの各周期に対して同一の値を有することができる。つまり、パラメータ（例：ＴＧ、ｍ、ＴＳ、ｍ、ＴＲ、ｍなど）はディスカバリー信号オケージョンの周期毎に同一の値で適用され得る。
【０２４３】
一方、端末がランダムアクセスを行う場合に、多様な上りリンクカバレッジ要求事項を満たすために、複数のＰＲＡＣＨフォーマットが用いられ得る。
【０２４４】
一般にＰＲＡＣＨの時間−周波数リソースの大きさが大きいほど、ランダムアクセスカバレッジと端末間の接続衝突（ｃｏｌｌｉｓｉｏｎ）の確率が改善される。ＬＴＥで用いられる複数のＰＲＡＣＨフォーマットは同一の帯域幅を有するが、ヌメロロジーまたはプリアンブルシークエンスの反復有無により互いに異なる時間軸リソース長さを有する。
【０２４５】
ＮＲでも同様に、多様なカバレッジおよび接続の試みの確率に対する要求事項が存在するため、複数のＰＲＡＣＨフォーマットが必要である。
【０２４６】
例えば、小型セルの場合に、カバレッジが小さく、接続を試みる端末数が少ないため、短いランダムアクセスプリアンブルが要求され得る。また方法Ｍ３１０のように、ＰＲＡＣＨリソースがＭ個存在し、端末がＭ個のＰＲＡＣＨリソースのうちの一つのＰＲＡＣＨリソースで接続を試みる場合に、各ＰＲＡＣＨリソースで接続衝突が発生する確率はより落ちる。反面、マクロセルの場合または方法Ｍ３１０でＭ値が小さい場合に、カバレッジが広く、接続衝突の確率が高いため、長いランダムアクセスプリアンブルまたは反復伝送が要求され得る。
【０２４７】
複数のＰＲＡＣＨフォーマットが存在する場合に、基地局はディスカバリー信号を通じてＰＲＡＣＨフォーマットを端末に伝送することができる。これを、方法Ｍ３４０という。端末はディスカバリー信号受信を通じて獲得したＰＲＡＣＨフォーマットに合わせて、ランダムアクセスプリアンブルを生成し、ランダムアクセスプリアンブルをＰＲＡＣＨリソース上で送信することができる。ＰＲＡＣＨフォーマットまたはＰＲＡＣＨリソース設定情報はシステム情報として、同期信号やＢＲＳよりはＰＢＣＨを通じて伝送され得る。例えば、基地局はディスカバリー信号ブロックに含まれるＰＢＣＨを通じて、複数のＰＲＡＣＨフォーマットのうちの少なくとも一つを端末に伝送することができる。
【０２４８】
前述したディスカバリー信号、ＰＲＡＣＨリソース構成方法、および初期接続手続は、如何なるヌメロロジーに対しても常時適用され得る。複数のヌメロロジーで構成されるキャリアの場合に、前述した同期信号の場合と同様に、複数のヌメロロジーは共通のディスカバリー信号とＰＲＡＣＨを共有することができる。この時、ディスカバリー信号のヌメロロジーに対して、方法Ｍ２２１または方法Ｍ２２２が適用され得る。
【０２４９】
または、一つのキャリア内でディスカバリー信号とＰＲＡＣＨがヌメロロジー別に定義され得る。この時、ディスカバリー信号のヌメロロジーに対して、方法Ｍ２３１、方法Ｍ２３２、または方法Ｍ２３３が適用され得る。ＰＲＡＣＨのヌメロロジーはディスカバリー信号のヌメロロジーと同じでもよく、ＰＲＡＣＨのために別途のヌメロロジーが用いられてもよい。
【０２５０】
図１９は、本発明の実施例による、コンピューティング装置を示す図面である。図１９のコンピューティング装置（ＴＮ１００）は、本明細書で記述された基地局または端末などであってもよい。または、図１９のコンピューティング装置（ＴＮ１００）は、無線機器、通信ノード、送信機、または受信機であってもよい。
【０２５１】
図１９の実施例において、コンピューティング装置（ＴＮ１００）は、少なくとも一つのプロセッサー（ＴＮ１１０）、ネットワークに連結して通信を行う送受信装置（ＴＮ１２０）、およびメモリ（ＴＮ１３０）を含むことができる。また、コンピューティング装置（ＴＮ１００）は、保存装置（ＴＮ１４０）、入力インターフェース装置（ＴＮ１５０）、出力インターフェース装置（ＴＮ１６０）などをさらに含むことができる。コンピューティング装置（ＴＮ１００）に含まれている構成要素は、バス（ｂｕｓ）（ＴＮ１７０）により連結されて通信を行うことができる。
【０２５２】
プロセッサー（ＴＮ１１０）は、メモリ（ＴＮ１３０）および保存装置（ＴＮ１４０）の中で少なくとも一つに保存されたプログラム命令（ｐｒｏｇｒａｍ  ｃｏｍｍａｎｄ）を実行することができる。プロセッサー（ＴＮ１１０）は、中央処理装置（ＣＰＵ：ｃｅｎｔｒａｌ  ｐｒｏｃｅｓｓｉｎｇ  ｕｎｉｔ）、グラフィック処理装置（ＧＰＵ：ｇｒａｐｈｉｃｓ  ｐｒｏｃｅｓｓｉｎｇ  ｕｎｉｔ）、または本発明の実施例による方法が行われる専用のプロセッサーを意味し得る。プロセッサー（ＴＮ１１０）は、本発明の実施例と関連して記述された手続、機能、および方法を具現するように構成され得る。プロセッサー（ＴＮ１１０）は、コンピューティング装置（ＴＮ１００）の各構成要素を制御することができる。
【０２５３】
メモリ（ＴＮ１３０）および保存装置（ＴＮ１４０）のそれぞれは、プロセッサー（ＴＮ１１０）の動作と関連した多様な情報を保存することができる。メモリ（ＴＮ１３０）および保存装置（ＴＮ１４０）のそれぞれは、揮発性保存媒体および不揮発性保存媒体の中で少なくとも一つで構成され得る。例えば、メモリ（ＴＮ１３０）は、読取専用メモリ（ＲＯＭ：ｒｅａｄ  ｏｎｌｙ  ｍｅｍｏｒｙ）およびランダムアクセスメモリ（ＲＡＭ：ｒａｎｄｏｍ  ａｃｃｅｓｓ  ｍｅｍｏｒｙ）の中で少なくとも一つで構成され得る。
【０２５４】
送受信装置（ＴＮ１２０）は、有線信号または無線信号を送信または受信することができる。そして、コンピューティング装置（ＴＮ１００）は、単一アンテナまたは多重アンテナを有することができる。
【０２５５】
一方、本発明の実施例は、以上で説明した装置および／または方法を通じてだけ具現されるのではなく、本発明の実施例の構成に対応する機能を実現するプログラムまたはそのプログラムが記録された記録媒体を通じて具現されることもでき、このような具現は前述した実施例の記載から本発明が属する技術分野における当業者であれば簡単に具現することができる。
【０２５６】
以上で本発明の実施例について詳細に説明したが、本発明の権利範囲はこれに限定されず、特許請求の範囲で定義している本発明の基本概念を利用した当業者の多様な変形および改良形態も本発明の権利範囲に属する。
【符号の説明】
【０２５７】
ＴＮ１１０…プロセッサー
ＴＮ１２０…送受信装置
ＴＮ１３０…メモリ
ＴＮ１４０…保存装置
ＴＮ１５０…入力インターフェース装置
ＴＮ１６０…出力インターフェース装置
【図１】
2019516256.tif 000005
【図２】
2019516256.tif 000006
【図３】
2019516256.tif 000007
【図４】
2019516256.tif 000008
【図５】
2019516256.tif 000009
【図６】
2019516256.tif 000010
【図７】
2019516256.tif 000011
【図８】
2019516256.tif 000012
【図９】
2019516256.tif 000013
【図１０】
2019516256.tif 000014
【図１１】
2019516256.tif 000015
【図１２】
2019516256.tif 000016
【図１３】
2019516256.tif 000017
【図１４】
2019516256.tif 000018
【図１５】
2019516256.tif 000019
【図１６】
2019516256.tif 000020
【図１７】
2019516256.tif 000021
【図１８】
2019516256.tif 000022
【図１９】
2019516256.tif 000023
【国際調査報告】
2019516256.tif 000024
2019516256.tif 000025
2019516256.tif 000026
2019516256.tif 000027
2019516256.tif 000028
2019516256.tif 000029
2019516256.tif 000030
2019516256.tif 000031